(57)【要約】      （修正有）【課題】鳥において所望の反応を誘発するシステムを提供する。【解決手段】鳥１２２に対する光子信号１１８内の光子パルス２０２の２つ以上の異なる波長帯のパルス化、デューティサイクル、及び頻度を制御することにより、鳥類または鳥綱において排卵及び産卵、生殖、空腹感、成長、気分、ならびに性的成熟などの所望の反応を活性化するシステム及び方法２００を提供し、光子変調及びデューティサイクルは、鳥に特有の必要性に基づく。【選択図】図２
2020120669.tif 000002
【特許請求の範囲】
【請求項１】
鳥において所望の反応を誘発するシステムであって、
少なくとも１つの光子放出器と、
前記少なくとも１つの光子放出器と通信する少なくとも１つの光子放出変調コントローラと
を備え、
前記少なくとも１つの光子放出器は前記鳥に対する繰返しの光子信号を生成するように構成され、前記繰返しの光子信号は２つ以上の独立成分を含み、前記２つ以上の独立成分には１つ以上の初期の成分と第２独立成分とが含まれ、
前記１つ以上の初期の成分の各々は、繰返し第１変調光子パルス群を含み、前記第１変調光子パルス群は、１つ以上の強度による０．０１マイクロ秒〜２５００マイクロ秒の１つ以上の光子パルスオン継続時間を有するとともに、０．１マイクロ秒〜２５００マイクロ秒の１つ以上の光子パルスオフ継続時間、及び波長色を有し、前記１つ以上の初期の成分の各々は異なる波長色を有し、前記１つ以上の初期の成分の各々の前記波長色が近赤、遠赤、赤外、緑、青、黄、橙、及び紫外色から選択され、
前記第２独立成分は、繰返し第２変調光子パルス群を含み、前記第２変調光子パルス群は、１つの強度による０．０１マイクロ秒〜２５００マイクロ秒の１つの光子パルスオン継続時間を有するとともに、０．１マイクロ秒〜２５００マイクロ秒の１つ以上の第２光子パルスオフ継続時間、及び波長色を有し、該波長色が３８０ｎｍ〜４５０ｎｍの間又は７００ｎｍ〜９００ｎｍの間であり、
前記１つ以上の初期の成分及び前記第２独立成分は、同時に前記繰返しの信号内に生成され、
前記第２変調光子パルス群の前記１つの光子パルスオン継続時間は、前記１つ以上の初期の成分の前記１つ以上の光子パルスオン継続時間の終了後に前記繰返しの信号内で開始され、
前記信号は、前記少なくとも１つの光子放出器から前記鳥に対して発せられ、前記信号の前記１つ以上の初期の成分及び前記第２変調光子パルス群の併用効果により、前記鳥から所望の反応が生じるようになって
いる、システム。
【請求項２】
前記第２変調光子パルスの前記波長色は、遠赤及び紫外色を含む群から選択される、請求項１に記載のシステム。
【請求項３】
前記第２変調光子パルス群の第２の波長色は、７２０ｎｍ〜７６０ｎｍの波長を有する、請求項１に記載のシステム。
【請求項４】
前記１つ以上の初期の成分の少なくとも１つの成分の前記波長色は近赤であり、
前記第２独立成分の前記波長色は遠赤である、請求項１に記載のシステム。
【請求項５】
前記信号の前記１つ以上の初期の成分と前記第２変調光子パルス群との併用効果により、前記鳥から成長の反応が生じるようになっている、請求項４に記載のシステム。
【請求項６】
前記初期の成分が、少なくとも３つの成分を有しており、前記少なくとも３つの成分の波長色が、濃紺、青緑及び緑を有する、請求項１に記載のシステム。
【請求項７】
前記信号の前記１つ以上の初期の成分と前記第２変調光子パルス群との併用効果により、前記鳥から産卵の反応が生じるようになっている、請求項６に記載のシステム。
【請求項８】
前記第２変調光子パルス群の前記波長色が、約７４０ｎｍの波長を有する、請求項１に記載のシステム。
【請求項９】
前記第２変調光子パルスの前記波長色が、遠赤である、請求項１に記載のシステム。
【請求項１０】
前記第２独立成分の前記１つの光子パルスオン継続時間の後に、前記信号が繰り返す、請求項１に記載のシステム。
【請求項１１】
前記第２独立成分の前記１つの光子パルスオン継続時間及び前記１つ以上の第２光子パルスオフ継続時間の後に、前記信号が繰り返す、請求項１に記載のシステム。
【発明の詳細な説明】
【関連出願の相互参照】
【０００１】
[0001]本出願は、２０１５年１１月１７日に出願された米国特許出願第１４／９４３，１３５号に対する優先権を主張し、出願の全ての教示及び開示に関して、全内容が参照により本明細書に組み込まれるものとする。
【０００２】
[0002]前述の関連技術の実施例及びそれに関する限定は、排他的ではなく例示的であることを意図し、本明細書において説明される発明に対していかなる限定も意味しない。関連技術の他の限定は、本明細書の読解及び図面の検討により、当業者に明らかになるであろう。
【発明の概要】
【０００３】
[0003]以下の実施形態及びその態様は、システム、ツール、及び方法に関連して説明及び図示され、これは範囲を限定するのではなく、模範的かつ例示的であることを意図する。
【０００４】
[0004]本発明の一実施形態は、鳥において所望の反応を誘発するシステムを含み、システムは、少なくとも１つの光子放出器と、少なくとも１つの光子放出器と通信する少なくとも１つの光子放出変調コントローラとを備え、少なくとも１つの光子放出器は鳥に対する光子信号を生成するように構成され、光子信号は２つ以上の独立成分を含み、２つ以上の独立成分には第１独立成分と第２独立成分とが含まれ、第１独立成分は繰返し第１変調光子パルス群を含み、第１変調光子パルス群は、１つ以上の強度による０．０１マイクロ秒〜５０００ミリ秒の１つ以上の光子パルスオン継続時間を有し、０．１マイクロ秒〜２４時間の１つ以上の光子パルスオフ継続時間、及び波長色を有し、第２独立成分は繰返し第２変調光子パルス群を含み、第２変調光子パルス群は、１つ以上の強度による０．０１マイクロ秒〜５０００ミリ秒の１つ以上の光子パルスオン継続時間を有し、０．１マイクロ秒〜２４時間の１つ以上の第２光子パルスオフ継続時間、及び波長色を有し、第１独立成分及び第２独立成分は同時に信号内に生成され、第２変調光子パルス群は第１変調光子パルス群と異なり、少なくとも１つの光子放出器から鳥に対し信号を発し、信号の第１変調光子パルス群及び第２変調光子パルス群の併用効果により、鳥から所望の反応が生じる。
【０００５】
[0005]本発明の一実施形態は、鳥において所望の反応を誘発する方法を含み、方法は、少なくとも１つの光子放出器と通信する少なくとも１つの放出変調コントローラを提供することと、少なくとも１つの光子放出変調コントローラから少なくとも１つの光子放出器へコマンドを通信することと、光子信号を鳥に与えることであって、光子信号は２つ以上の独立成分を含み、２つ以上の独立成分には第１独立成分と第２独立成分とが含まれ、第１独立成分は繰返し第１変調光子パルス群を含み、第１変調光子パルス群は、１つ以上の強度による０．０１マイクロ秒〜５０００ミリ秒の１つ以上の光子パルスオン継続時間を有し、０．１マイクロ秒〜２４時間の１つ以上の光子パルスオフ継続時間、及び波長色を有し、第２独立成分は繰返し第２変調光子パルス群を含み、第２変調光子パルス群は、１つ以上の強度による０．０１マイクロ秒〜５０００ミリ秒の１つ以上の光子パルスオン継続時間を有し、０．１マイクロ秒〜２４時間の１つ以上の第２光子パルスオフ継続時間、及び波長色を有し、第１独立成分及び第２独立成分は同時に信号内に生成され、第２変調光子パルス群は第１変調光子パルス群と異なる、前記光子信号を鳥に与えることと、少なくとも１つの光子放出器から鳥に対し信号を発することであって、信号の第１変調光子パルス群及び第２変調光子パルス群の併用効果により、鳥から所望の反応が生じる、少なくとも１つの光子放出器から鳥に対し信号を発することとを含む。
【０００６】
[0006]本明細書に組み込まれ、明細書の一部を形成する添付図面は、唯一または排他的ではない、いくつかの例示的実施形態及び／または特徴を示す。本明細書において開示される実施形態及び図面は、限定ではなく例示的なものとみなされることが意図される。
【図面の簡単な説明】
【０００７】
【図１】[0007]産卵を活性化する光子変調育成システムの一実施例を示す図である。
【０００８】
【図２】[0008]鳥の産卵を誘発するために、信号内で異なる特定の波長の光をパルス化する個別色光子変調育成システムの一実施例を示す図である。
【０００９】
【図３】[0009]サンプルＬＥＤアレイを有する複数の光子放出器と通信する光子放出変調コントローラを示す図である。
【００１０】
【図４】[0010]マスタ／スレーブＬＥＤアレイを介した光子放出変調を示す図である。
【００１１】
【図５】[0011]一連の光子放出器と通信しこれらを制御するマスタ論理コントローラを示す図である。
【００１２】
【図６】[0012]一連の鳥センサと通信する光子変調管理システムを示す図である。
【００１３】
【図７】[0013]様々なＳＳＲ（ソリッドステートリレー）、電力トランジスタ、またはＦＥＴと通信するサンプルＬＥＤアレイを示す図である。
【００１４】
【図８ａ】[0014]単一のＬＥＤ内の多色ダイの電力変換器、ＳＰＩ、及びマイクロコントローラを示す写真である。
【００１５】
【図８ｂ】[0015]図８ａの単一のＬＥＤ内の多色ダイの背面を示す写真である。
【００１６】
【図８ｃ】[0016]図８ａの単一のＬＥＤ内の多色ダイの点滅用高速スイッチング回路を示す写真である。
【００１７】
【図８ｄ】[0017]交換可能な多色ダイＬＥＤを有する図８ｃのＬＥＤアレイの背面を示す写真である。
【００１８】
【図９】[0018]ＬＥＤアレイ内のＬＥＤの例示的配置図である。
【００１９】
【図１０】[0019]様々な波長のパルス化により、鳥において所望の反応を活性化する光子変調方法を示すフロー図である。
【００２０】
【図１１】[0020]鳥センサの使用により、鳥において所望の反応を活性化する方法を示すフロー図である。
【００２１】
【図１２】[0021]鳥の排卵及び産卵を統制活性化するために４００μ秒の繰返し速度を伴う、近赤色光子パルスを有する光子信号の一実施例を示すグラフである。
【００２２】
【図１３】[0022]鳥の排卵及び産卵を統制活性化するために６００μ秒の繰返し速度を伴う、近赤色光子パルス及び遠赤色光子パルスを有する光子信号の一実施例を示すグラフである。
【００２３】
【図１４】[0023]鳥の排卵及び産卵を統制活性化するために６００μ秒の繰返し速度を伴う、近赤色光子パルス及び遠赤色光子パルスを有する光子信号の一実施例を示す第２のグラフであって、２つの光子パルスは、図１３に示される実施例とは異なるオン継続時間及びオフ継続時間を有する、第２のグラフである。
【００２４】
【図１５】[0024]空腹感及び成長を統制活性化するために６００μ秒の繰返し速度を伴う、青色光子パルス及び緑色光子パルスを有する光子信号の一実施例を示すグラフである。
【００２５】
【図１６】[0025]排卵、産卵、空腹感、及び成長を統制活性化するために８００μ秒の繰返し速度を伴う、青色光子パルス、緑色光子パルス、及び近赤色パルスを有する光子信号の一実施例を示すグラフである。
【００２６】
【図１７】[0026]排卵、産卵、空腹感、及び成長を統制活性化するために６００μ秒の繰返し速度を伴う、青色光子パルス、紫外光子パルス、橙色光子パルス、緑色光子パルス、及び近赤色パルスを有する光子信号の一実施例を示すグラフである。
【００２７】
【図１８】[0027]鳥の排卵及び産卵を統制活性化するために４００μ秒の繰返し速度を伴う、近赤色光子パルス及び遠赤色光子パルスを有する光子信号の一実施例を示す第３のグラフであって、２つの光子パルスは、図１３及び図１４に示される実施例とは異なるオン継続時間及びオフ継続時間を有する、第３のグラフである。
【００２８】
【図１９】[0028]鳥の排卵及び産卵を統制活性化するために４００μ秒の繰返し速度を伴う、近赤色光子パルス及び遠赤色光子パルスを有する光子信号の一実施例を示す第４のグラフであって、２つの光子パルスは、図１３及び図１４に示される実施例とは異なる強度の異なるオン継続時間及び異なるオフ継続時間を有する、第４のグラフである。
【００２９】
【図２０】[0029]本開示の照明オプション１を用いた平均産卵と、商業平均産卵との比較を示すグラフである。
【００３０】
【図２１】[0030]本開示の照明オプション２を用いた平均産卵と、商業平均産卵との比較を示すグラフである。
【００３１】
【図２２】[0031]本開示の照明オプション３を用いた平均産卵と、商業平均産卵との比較を示すグラフである。
【００３２】
【図２３】[0032]本開示の照明オプション４を用いた平均産卵と、商業平均産卵との比較を示すグラフである。
【００３３】
【図２４】[0033]本開示の照明オプション５を用いた平均産卵と、商業平均産卵との比較を示すグラフである。
【００３４】
【図２５】[0034]本開示の照明オプション６を用いた平均産卵と、商業平均産卵との比較を示すグラフである。
【００３５】
【図２６】[0035]標準昼／夜タイミングの本開示の照明オプション４を用いた平均産卵と、２４時間タイミングの本開示の照明オプション４を用いた平均産卵とを、商業制御による平均産卵と、商業平均産卵と比較する、４者比較を示すグラフである。
【００３６】
【図２７】[0036]本開示の照明オプション１を用いた平均卵サイズと、商業平均卵サイズとの比較を示すグラフである。
【００３７】
【図２８】[0037]本開示の照明オプション２を用いた平均卵サイズと、商業平均卵サイズとの比較を示すグラフである。
【００３８】
【図２９】[0038]本開示の照明オプション３を用いた平均卵サイズと、商業平均卵サイズとの比較を示すグラフである。
【００３９】
【図３０】[0039]本開示の照明オプション４を用いた平均卵サイズと、商業平均卵サイズとの比較を示すグラフである。
【００４０】
【図３１】[0040]本開示の照明オプション５を用いた平均卵サイズと、商業平均卵サイズとの比較を示すグラフである。
【００４１】
【図３２】[0041]本開示の照明オプション６を用いた平均卵サイズと、商業平均卵サイズとの比較を示すグラフである。
【００４２】
【図３３】[0042]標準昼／夜タイミングの本開示の照明オプション４を用いた平均卵サイズと、２４時間タイミングの本開示の照明オプション４を用いた平均卵サイズとを、商業制御による平均卵サイズと、商業平均卵サイズと比較する、４者比較を示すグラフである。
【００４３】
【図３４】[0043]本開示の照明オプション１を用いたグラム単位の平均鳥体重と、商業平均鳥体重との比較を示すグラフである。
【００４４】
【図３５】[0044]本開示の照明オプション２を用いたグラム単位の平均鳥体重と、商業平均鳥体重との比較を示すグラフである。
【００４５】
【図３６】[0045]本開示の照明オプション３を用いたグラム単位の平均鳥体重と、商業平均鳥体重との比較を示すグラフである。
【００４６】
【図３７】[0046]本開示の照明オプション４を用いたグラム単位の平均鳥体重と、商業平均鳥体重との比較を示すグラフである。
【００４７】
【図３８】[0047]本開示の照明オプション５を用いたグラム単位の平均鳥体重と、商業平均鳥体重との比較を示すグラフである。
【００４８】
【図３９】[0048]本開示の照明オプション６を用いたグラム単位の平均鳥体重と、商業平均鳥体重との比較を示すグラフである。
【００４９】
【図４０】[0049]標準昼／夜タイミングの本開示の照明オプション４を用いた平均鳥体重と、２４時間タイミングの本開示の照明オプション４を用いた平均鳥体重とを、商業制御による平均鳥体重と、商業平均鳥体重と比較する、４者比較を示すグラフである。
【発明を実施するための形態】
【００５０】
[0050]本開示の実施形態は、ニワトリ、ライチョウ、ウズラ、キジ、オウム、水鳥、ガチョウ、ハクチョウ、コバト、猛禽類、鳴禽類、シチメンチョウ、フクロウ、ハゲタカ、ペンギン、ハチドリ、ダチョウ、アヒル、または他の鳥を含むがこれらに限定されない鳥類または鳥綱などの卵を産む脊椎動物において、生殖、排卵、空腹感、産卵、成長、性的成熟、行動及び社会順応、ならびに概日入力の補間を含むがこれらに限定されない所望の反応を誘発するシステム、装置、及び方法を提供する。実施例として、システムの電力消費及び他の変数の監視も可能にしながら、産卵の活性化に求められる必要入力電力を最小限に抑える特性頻度またはパターンを用いて、産卵を活性化する鳥の光化学反応を引き起こすのに十分な強度の個別色スペクトルの電磁波放出パルス列（光子）を生成することが挙げられるが、これに限定されない。さらに詳細に論述されるが、生殖、排卵、または産卵の活性化は人間のみに影響されることはないが、鳥に対する光子信号のデューティサイクル、強度、波長帯、及び頻度を制御することにより、排卵率及び産卵率、サイズ及び品質、空腹感、成長、ならびに気分は、青、緑、黄、近赤、遠赤、赤外、及び紫外色の光子変調など色の循環を通して制御することができる。
【００５１】
[0051]具体的には、特定の組み合わせの割合で複数の繰返し波長の光子パルスを光子信号に組み合わせることにより、産卵、若雌鶏（若いニワトリ）及び若鶏（若いシチメンチョウ）の発達、ならびに鳥またはブロイラー（食肉用鳥）の仕上げを活性化するために、鳥の光化学反応を最適化及び制御することができる。
【００５２】
[0052]本開示の実施形態は、産卵すなわち卵生産に使用される従来の育成光システムよりも速い及び／または遅い速度で、空腹感、生殖、性的成熟、鎮静、または産卵など、鳥において所望の反応を誘発する。各光「配合」またはオプション（１つ以上の第１強度による１つ以上の第１光子パルスオン継続時間、１つ以上の第１光子パルスオフ継続時間、及び第１波長色を伴う、１つ以上の繰返し変調光子パルス群を有する光子信号）は、各種の鳥に対する所望の反応ごとに、最適化することができる。
【００５３】
[0053]本明細書において説明される方法、システム、及び装置の追加の例示的実施形態は、より少ない熱生成を含み得る。ＬＥＤ照明は本質的に、従来の育成光より少ない熱を生成する。照射用途においてＬＥＤ光が使用される場合、ＬＥＤ光は、オン状態よりもオフ状態であることが多い。これにより、ＬＥＤ光からわずかに熱が生成される環境が作られる。これは、システムから熱を排除するためにエネルギーを使用する必要がないという点において有益であるだけでなく、動物のストレスの軽減、または動物の鎮静のためにも照明を使用してもよいのと同時に、鳥をやけどさせるリスクも軽減するので、鳥にとっても有益である。
【００５４】
[0054]多くの種類の鳥に関して、産卵は昼／夜の周期に基づいており、昼の長さがより長いと、産卵の増加が誘発される。冬が近づくにつれて、大部分の種類の鳥ではないにしても、多くの種類の鳥に関して、産卵量が減少する。産卵の減少に対抗するために、人工の光が産卵施設において多くの場合使用され、夜と対照的に昼の長さがより長い状態が再現または模倣される。鳥の成長及び産卵を増進するために、繁殖用鶏舎、孵卵場、及びブロイラー鶏舎を含むがこれらに限定されない鶏生産プロセスを通して、人工光はよく使用される。
【００５５】
[0055]建物及び垂直農場内で成長する鳥は、産卵及び動物の成長に不可欠な光を供給するために、動力照明の使用を必要とする。これらの光は多くの場合、電動であり、排卵、産卵、筋肉の成長及び発達、気分制御、及び空腹感などの生物学的プロセスに使用される光子を放出する。様々な光または光子源の実施例としては、メタルハライド灯、蛍光灯、高圧ナトリウム灯、白熱灯、及びＬＥＤが挙げられるが、これらに限定されない。
【００５６】
[0056]光は鳥の産卵の重要な要素であるが、このシステムは、鳥の活動の基本コントローラとして使用されるため、他の歴史的照明技術とも、最先端の照明技術とでさえも異なる。同様に、ＬＥＤ技術が本開示における照明の中核的要素を成すが、ＬＥＤ技術が他の工学と結び付けられた独特の適用であり、これは、卵、繁殖用雌鶏、及び食肉用ブロイラーの商業生産のための既存の照明技術と比較して、コスト削減、生産高増加、及び制御向上の可能性を劇的に拡大する。
【００５７】
[0057]本明細書における一実施形態は、光子信号内に１つ以上の繰返し変調光子パルス群を含み、各繰返しパルス群は、システムで使われるエネルギーを最小限に抑えると同時に、排卵、産卵、空腹感、気分及び行動、若鳥の成長及び発達、ならびに食肉用ブロイラー鳥の仕上げなどの特定の所望の反応のためにカスタマイズ、監視、及び最適化することができる頻度、強度、及びデューティサイクルの紫外、青、緑、赤外、及び／または赤色のスペクトルを含む個別色スペクトルまたは色スペクトルの範囲を有する。鳥に対する変調光子エネルギーの割合及び効率に関して制御を加えることにより、視床下部及び網膜（赤オプシン及び緑オプシンなど）の光受容体に存在する鳥のフィトクロムの光刺激の様々な部分が最大化され、これにより所望の反応（産卵など）に対し最適な影響を与えることが可能となり、同時に鳥の反応を制御することも可能となった。
【００５８】
[0058]オプシンは、鳥及び哺乳類の網膜及び脳の視床下部領域に見られる一種の膜結合型フィトクロム受容体である。オプシンは、光の光子を電気化学信号に変換することを通して、排卵、産卵、及び行動を含む鳥及び哺乳類の様々な機能を媒介する。
【００５９】
[0059]光子は、電荷を有さない無質量素粒子である。光子は、分子及び核過程、光の量子、ならびに全ての他の形態の電磁放射など、様々な光源から放出される。光子エネルギーは、生きている鳥のフィトクロムによって吸収され得、代謝産物を操る電気化学信号に変換され得る。
【００６０】
[0060]この現象は、人間の視覚オプシン発色団において見られ得る。光の光子の吸収は、１１シスからオールトランス配座への発色団の光異性化をもたらす。光異性化は、オプシンタンパク質における配座変化を誘発し、光伝達カスケードの活性化を引き起こす。その結果、ロドプシンは、オールトランス発色団によりプレルミロドプシンへ変換される。オプシンは、トランス形態の光に対し、依然として無反応の状態である。変換の後に、オプシンの構造におけるいくつかの迅速な変化、また発色団とオプシンとの関係における変化が続く。これは、網膜上皮細胞から供給される新規合成１１シスレチナールが、オールトランスレチナールと置き換わることにより、再生される。この可逆的かつ迅速な化学サイクルは、人間において色の識別及び受容をもたらす。同様の生化学プロセスが、鳥にも存在する。フィトクロム及びフェオフィチンは、異なる波長の光を照射することでシス配置とトランス配置を切り替えるように迅速に調節可能であるという点で、オプシンと非常に似た動作を行う。
【００６１】
[0061]昼及び夜の長さの変動に対する鳥の反応は、人間の視覚サイクルに伴う光子吸収分子変化に非常に類似した光子吸収分子変化を伴う。
【００６２】
[0062]１つまたは複数の特定の光子変調を用いた光子信号に対する鳥の反応は、所望の反応に応じて監視され得る。所望の反応が産卵である場合、鳥は、雌鳥に間近に迫る排卵を示す黄体形成ホルモン、ヘテロ二量体糖タンパク質の放出が監視され得る。血液または尿の試料を介して、黄体形成ホルモンは監視され得る。光子変調に対する鳥の反応を特定して、効率的な産卵を確保するために、毎日、または日中の様々な時間に、試料が採取され得る。
【００６３】
[0063]本開示はまた、鳥の産卵、ならびに若いブロイラー鳥の成長及び発達のプロセスにおいて使用される電力量を監視及び低減するための方法及びシステムを提供し、配給されるエネルギー量は、時間に対する電力のグラフの下の総面積を計算することにより定義することができる。本開示はさらに、鳥において所望の反応を活性化するために使用される電力量の監視、報告、及び制御を可能にする方法及びシステムを提供し、これによりエンドユーザまたはエネルギー供給者は、エネルギー使用の傾向を特定することが可能となる。
【００６４】
[0064]本開示のシステムの一実施形態は、光子放出変調コントローラと通信するＬＥＤなど、少なくとも１つの光子源を有する少なくとも１つの光子放出器を備え、これはデジタル出力信号、ソリッドステートリレー、電界効果トランジスタ（「ＦＥＴ」）、または電力交換器を含むがこれらに限定されない。光子放出器は、光子の繰返しパルス、波形、またはパルス列を送信するように変調され、各個別パルスは、少なくとも１つの色スペクトル、波長、または複数の色スペクトルもしくは波長を含み、強度を変えることが可能である。各光子パルスは、例えば２００ミリ秒または最大２４時間の光子パルス間の遅延継続時間またはオフ継続時間を伴いながら、２ミリ秒などのオン継続時間にわたり１つ以上の強度で鳥に向けられる。
【００６５】
[0065]本明細書において使用される「鳥」には、ニワトリ、ライチョウ、ウズラ、キジ、オウム、水鳥、ガチョウ、ハクチョウ、コバト、猛禽類、鳴禽類、シチメンチョウ、フクロウ、ハゲタカ、ペンギン、ハチドリ、ダチョウ、アヒル、または他の鳥を非限定的に含む鳥類または鳥綱を含むがこれらに限定されない温血の脊椎動物が含まれる。
【００６６】
[0066]本明細書において使用される「デューティサイクル」は、デバイスが完全なオン／オフサイクルまたは光子信号を完了するのに要する時間の長さである。デューティサイクルは、検討される合計時間の一部分として、エンティティが活性状態に費やす時間のパーセントで表される。デューティサイクルという用語は、スイッチング電源などの電気デバイスに関して使用されることが多い。電気デバイスにおいて、６０％のデューティサイクルは、６０％の時間は電力がオンの状態であり、４０％の時間は電力がオフの状態であることを意味する。本開示の例示的デューティサイクルは、０．０１％〜９０％の範囲であり得、その範囲内の全ての数の割合を含む。
【００６７】
[0067]本明細書で使用される「頻度」は、単位時間あたりの反復事象の発生回数であり、任意の頻度が、本開示のシステムにおいて使用され得る。頻度はまた、時間的頻度を指してもよい。反復期間は、反復事象における１つの周期の継続時間であるため、反復期間は頻度の逆数である。
【００６８】
[0068]本明細書において使用される用語「波形」は、時間または距離に対する変動量のグラフの形状を指す。
【００６９】
[0069]本明細書において使用される用語「パルス波」または「パルス列」は、矩形波に類似するが完全な矩形波に伴う対称形状を有さない、一種の非正弦波形である。これは、シンセサイザプログラミングに共通する用語であり、数多くのシンセサイザで使用可能な典型的波形である。波の正確な形状は、発振器のデューティサイクルにより決定される。数多くのシンセサイザにおいて、よりダイナミックな音色のために、デューティサイクルが変調され得る（時にパルス幅変調とも呼ばれる）。パルス波は、矩形波、周期版の矩形関数としても知られる。
【００７０】
[0070]本開示の一実施形態において、さらに詳しく後述されるように、各繰返し光子パルスが１つ以上の強度によるオン継続時間及びオフ継続時間、波長帯、ならびにデューティサイクルを有する、本明細書において説明される育成システムから光子信号内の１つ以上の繰返し光子パルスの放出は、利得＝出力振幅／入力振幅である場合、１を超える利得効率を誘発する。
【００７１】
[0071]図１は、光子変調管理システムの一実施例１００を示すブロック図を提示する。図１に示されるように、排卵、性的成熟、気分、及び空腹感を含むがこれらに限定されない鳥における広範囲の所望の反応を誘発するために、鳥に対する光子の放出を変調する目的で、ある時間にわたって光子放出変調コントローラ１０４と通信する光子放出器１０６及び１０８が示される。１つ以上の頻度の光子パルス及びそれに続く１つ以上の他の頻度のパルスを、パルス間の遅延を伴う継続時間にわたり与えることによる鳥に対する光子の変調適用は、特定の代謝産物の生成のため特定の電気化学信号を誘発する１つ以上の特定のスペクトルの光のパルス化など、鳥の生体成分（オプシン受容体）及び生体反応の最大活性化／変調を可能にする。さらに、鳥に対する光子の変調は、オプシン受容体を過飽和状態にすることなく、オプシン受容体による光子吸収の最適化を可能にする。後述されるように、光子パルスの変調は、６０ワットの育成光など従来の家禽生産照明システムと比較すると、本開示のシステムによる全体的な電力消費を光子源の９９％以上も削減することにより、現在の家禽生産照明システムのエネルギー及び熱効率を向上させ、これにより、鳥の産卵を促進するために使用される電力量及び費用が削減される。本開示のシステムがエネルギーを節約する可能性の一実施例として、システムは、２００マイクロ秒ごとに２マイクロ秒間、４９．２ワットの光子をパルス化し、電力支払測定器上で０．４９ワット‐時間／時間、または６０ワットの標準白熱電球の電力の０．８２％の効率的電力消費を生み出す。さらに、光子放出器は光子を連続的に放出しないため、光子放出器から生成される熱量は大幅に削減され、これにより、照明により高まった熱を平衡させるために施設を冷却する費用が大幅に削減される。光子強度、パルスオン継続時間、パルスオフ（またはデューティサイクル）、パルスの光スペクトルに関する鳥特有の要件に基づいて、本開示のシステムはカスタマイズされ得、パルスの光スペクトルには、ニワトリ、アヒル、ウズラ、またはシチメンチョウなどの選ばれた鳥の最適な排卵、空腹感、気分、及び性的発達を助長する白、近赤、黄、緑、青、橙、遠赤、赤外、及び紫外色が含まれるが、これらに限定されない。
【００７２】
[0072]図１に示されるように、デジタル出力制御または中央処理装置（ＣＰＵ）を有するソリッドステート回路などのマスタ論理コントローラ（ＭＬＣ）１０２は、通信信号１３４を用いて光子放出変調コントローラ１０４と通信する。ＭＬＣ１０２は、本開示のシステムに対し、光子放出器１０６及び１０８からの光子を変調するためのパラメータ及び好適な命令または特殊機能の入力／出力を提供する。
【００７３】
[0073]さらなる実施形態において、ＭＬＣ１０２は、ホストなどの外部ソースに結線接続または無線接続されてもよく、これによりホストがＭＬＣ１０２へ外部アクセスすることが可能となる。これにより、ユーザは遠隔アクセスでＭＬＣ１０２の入力及び出力を監視し、システムに対し命令または制御を与えることが可能になり、同時にＭＬＣ１０２の遠隔プログラミング及び監視も可能となる。
【００７４】
[0074]さらなる実施形態において、電力測定または電力消費センサが、集積回路の形態でＭＬＣ１０２に統合または組み込まれてもよく、これにより、本開示のシステムの電圧及び電流の流れに基づいてシステムの電力消費の測定及び報告が可能となる。システムの電力消費は次に、ＭＬＣ１０２からホストへ無線または結線接続で通信され得る。電力消費を含むデータは、システムに接続されていないデータベースなどの外部受信器へも送信してもよい。
【００７５】
[0075]光子放出変調コントローラ１０４は、光子放出器１０６からの光子信号１１８内の各繰返し光子パルスに関するオン継続時間及び強度、オフ継続時間デューティサイクル、強度、波長帯、ならびに頻度を含むがこれらに限定されないコマンド及び命令を、ＭＬＣ１０２から受信する。光子放出変調コントローラ１０４は、量子を変調し、光子放出器１０６及び１０８からの各繰返し光子パルスに関するオン継続時間及び強度、オフ継続時間、波長帯、ならびに頻度の制御及びコマンドを提供する、任意のデバイスであり得る。Ｍａｇｎａｃｒａｆｔ  Ｉｎｃ．のＭａｇｎａｃｒａｆｔ  ７０Ｓ２  ３Ｖソリッドステートリレーなどのソリッドステートリレー（ＳＳＲ）、光チョッパ、電力交換器、及び光子パルスの変調を誘発する他のデバイスを含むがこれらに限定されない様々なデバイスが、光子放出変調コントローラ１０４として使用され得る。白熱光（タングステンハロゲン及びキセノン）、蛍光（ＣＦＬ）、高輝度放電（金属ハライド、高圧ナトリウム、低圧ナトリウム、水銀蒸気）、太陽光、発光ダイオード（ＬＥＤ）を含むがこれらに限定されない様々な光子放出器１０６及び１０８が使用され得る。実施形態の原理を一度理解した当業者には理解されるように、１つのスペクトルの複数のパルスの後に別のスペクトルまたはその組み合わせのパルス化が可能なように、紫外、紫、近赤、緑、黄、橙、青、及び遠赤色などの１つ以上の色またはスペクトルの光を異なる時点、継続時間、及び強度で循環させて、光源または光子源のオン及びオフを循環させる他の方法を含む他の種類の光子放出変調コントローラを有するいずれの然るシステムにも、この説明は適用可能であることを理解されたい。このオン及びオフ循環は、デジタルパルス、パルス列、または変動波形の形態であり得ることも理解されたい。
【００７６】
[0076]図１に示されるように、ＭＬＣ１０２からの命令に基づいて、光子放出変調コントローラ１０４は、光子放出制御信号１３６を光子放出器１０６へ送信する。光子放出器１０６へ送信される光子放出制御信号１３６がオンになる場合、光子放出器１０６は、少なくとも１つの光子信号１１８を放出し、各光子信号は１つ以上の繰返し光子パルスを含み、各繰返し光子パルスは１つ以上の強度による別個のオン継続時間、波長帯、及び頻度を有し、これが鳥１２２へ伝達される。次に、ＭＬＣ１０２からの命令に基づいて、光子放出器１０８へ送信される光子放出器制御信号１３６がオフになると、光子放出器１０８は光子パルスを放出しなくなるため、鳥１２２に対し光子は全く伝達されなくなる。図１に示されるように、近赤色光子のパルスなどの光子１１８の放出、ならびに鳥１２２の排卵及び産卵１２４が、図１の左側から開始して、時間１２０にわたり示される。図１の実施例は、近赤色などの光子信号１１８が光子放出器１０６から２ミリ秒間放出され、その後２００ミリ秒間の遅延継続時間を置いて、第２光子信号１１８が同じ光子放出器１０６から２ミリ秒間放出される例を提示する（図１は、経時的に放出される光子パルスの説明的実施例であることに留意されたい。図１は縮尺通りに描かれておらず、図１のパルス間の鳥の成長量は必ずしも正確ではない）。
【００７７】
[0077]当業者には理解されるように、追加の実施形態において、図１に説明されるシステムは、アレイを形成する複数の光子放出器を備える単一ユニットに完全に収容されてもよく（図３、図７、図８ａ、８ｂ、８ｃ、８ｄ、及び図９に図示）、各個別単一ユニットは、外部制御または論理装置を必要とせずに自立することが可能となる。複数の光子放出器を有する例示的自立ユニットには、光ソケットに接合され得るユニット、または１羽以上の鳥の上に吊るされて電源に接続され得る照明器具の形態があり得る。
【００７８】
[0078]図１に示されるシステムはまた、図４で説明されるように、マスタ／スレーブシステムの形態をとってもよく、実施例を挙げると、マスタ光子放出器は、マスタ光子放出器ならびにマスタ光子放出器と通信する任意の追加光子放出器からの光子の放出に対する全ての論理及び制御を含める。
【００７９】
[0079]本開示において、様々な電源が使用され得る。これらの電源には、バッテリ、ライン電力用変換器、太陽光、及び／または風力が含まれ得るが、これらに限定されない。光子パルスの強度は、別個のオン／オフサイクルを伴う静的なものであってもよく、または強度は、光子パルスの量子が１％以上変動するものであってもよい。光子放出器からの光子パルスの強度は、電源からの電圧及び／または電流の分散を通して制御され得、光源へ供給され得る。また、光子放出器制御ユニット及び光子放出器を含む、本開示のシステムに必要な支持回路に関しても、当業者は理解するであろう。さらに、必要な構成要素及び支持回路の設定、設置、及び動作は、当技術分野において周知であることが理解されよう。プログラムコードが利用される場合、本明細書において開示される動作を実行するためのプログラムコードは、本開示のシステムにおいて利用される特定のプロセッサ及びプログラム言語に依存する。従って、本明細書において提示される開示のプログラムコードの生成は、当業者の技術範囲内であることが理解されよう。
【００８０】
[0080]図２は、光子変調管理システムの実施例２００を示す２つの異なるブロック図を提示する。図２に示され、図１から繰り返されるように、白、緑、近赤、青、黄、橙、遠赤、赤外、及び紫外色の色スペクトルを含むがこれらに限定されない鳥に対する個別色スペクトルと、０．１ｎｍ〜１ｃｍの波長とを含む光子の個別パルスを変調する目的で、ある時間にわたって光子放出変調コントローラ１０４と通信する光子放出器１０６及び１０８が図示される。当業者に理解されるように、本開示は、０．１ｎｍ〜１ｃｍの特定の個別波長の色スペクトルを含み得、または本明細書にて「波長帯」と称される幅０．１ｎｍ〜２００ｎｍの波長の範囲または帯を含み得る。
【００８１】
[0081]パルス間の遅延を伴う継続時間にわたる特定色スペクトルパルスの供給による鳥に対する光子の個別色スペクトルの変調は、産卵に関する鳥の網膜オプシン及び視床下部オプシンなどの鳥の生体成分及び反応の最大活性化を可能にする。個別色スペクトル、特定色波長、または色波長範囲のパルス化を通して、鳥の生体成分または反応の特定態様を制御する能力の実施例として、これらに限定されるものではないが、以下が挙げられ得る。
ａ．ある時間にわたる特定の遠赤、または近赤色波長との組み合わせ（例えば波長は６２０ｎｍ〜８５０ｎｍを含み得る）のパルスの変調を通した産卵。
ｂ．空腹感、成長、性的発達、ならびに青色光のパルスによる鳥の気分の制御補助、ならびに概日リズムの調整（例示的範囲は４５０ｎｍ〜４９５ｎｍの範囲を含み得る）。
ｃ．社会的行動及び気分に影響を与え、ならびにカルシウムなどの栄養素吸収を促進するために、紫外光または紫光（例えば１０ｎｍ〜４５０ｎｍ）が使用され得る。
ｄ．筋肉の成長を含む成長を増進または活性化し、生殖ならびに卵の質を改善するために、緑色光（５６０ｎｍなどであるが、４９５ｎｍ〜５７０ｎｍを含み得る）が使用され得る。
ｅ．鳥の反応に影響を与えるために、追加の橙色光（５９０ｎｍ〜６２０ｎｍ）及び／または黄色光（５７０ｎｍ〜５９０ｎｍ）も使用され得る。
【００８２】
[0082]パルス間の遅延を伴う継続時間にわたる特定色スペクトルパルスの供給による鳥に対する光子の個別色スペクトル、特定波長、及び波長範囲の変調はまた、鳥における気分、成長、排卵、性的成熟、及び空腹感など、成長または生体反応の制御を可能にする。一実施例としては、鳥における排卵及び成長を制御するために、１つの光または多数の光の組み合わせにより、光のオンとオフを循環させることが挙げられ得る。
【００８３】
[0083]図２に示され、図１から繰り返されるように、マスタ論理コントローラ（ＭＬＣ）１０２は、通信信号１３４により光子放出変調コントローラ１０４と通信する。ＭＬＣ１０２は、本開示のシステムに対し、光子放出器１０６及び１０８からの光子の特定の個別色スペクトルを変調するためのパラメータ及び好適な命令または特殊機能の入力／出力を提供する。
【００８４】
[0084]光子放出変調コントローラ１０４は、光子信号１１８内の各繰返し光子パルス２０２及び２０４、または光子信号内の光子放出器１０６及び１０８からの特定色スペクトルの複数のパルスに関する、オン継続時間及び強度、オフ継続時間、波長帯、ならびに頻度を含むがこれらに限定されないコマンド及び命令を、ＭＬＣ１０２から受信する。光子放出変調コントローラ１０４は、光子信号１１８内の各繰返し光子パルス２０２及び２０４、または光子放出器１０６及び１０８からの複数のパルスに関する、オン継続時間及び強度、オフ継続時間、波長帯、ならびに頻度の制御及びコマンドを提供する。
【００８５】
[0085]図２に示されるように、ＭＬＣ１０２からの命令に基づいて、光子放出変調コントローラ１０４は、光子放出制御信号１３６を光子放出器１０６及び１０８へ送信する。光子放出器１０６に送信される光子放出制御信号１３６がオンである場合、光子放出器１０６は、光子信号１１８を含む、特定色スペクトルの１つ以上の繰返し光子パルス２０２または２０４を放出し、これが鳥１２２へ伝達される。次に、ＭＬＣ１０２からの命令に基づいて、光子放出器１０８へ送信される光子放出器制御信号１３６がオフになると、光子放出器１０８は光子信号を放出しなくなるため、鳥１２２に対し光子は全く伝達されなくなる。図２に示されるように、特定色スペクトル２０２（緑色）及び２０４（遠赤色）の繰返し光子パルスを含む光子信号１１８の放出、ならびに鳥１２２の排卵及び産卵１２４が、図２の左側から開始して、時間１２０にわたり示される。図２の実施例は、光子放出器１０６から緑色スペクトルの光子パルスまたは複数のパルス２０２が２ミリ秒間放出され、続いて遠赤色スペクトルの光子パルスまたは複数のパルス２０４が２ミリ秒の継続時間放出される光子信号１１８の後に、パルスごとに２００ミリ秒の遅延継続時間を置いて、同じ光子放出器１０６から光子パルスまたは複数のパルス２０２が２ミリ秒間放出され、続いて同じ光子放出器１１４から遠赤色スペクトルの第２光子パルスまたは複数のパルス２０４が２ミリ秒の継続時間放出される光子信号が繰り返される例を提示する（図２は、経時的に放出される光子パルスの説明的実施例であることに留意されたい。図２は縮尺通りに描かれておらず、図２のパルス間の鳥の成長量または産卵量は必ずしも縮尺通りではない）。図２において２つの光子パルスが示されるが、発明を一度理解した当業者には理解されるように、光子信号内に含まれるパルスの数は、１〜１５、またはそれ以上でも、任意の数であってよい。
【００８６】
[0086]図１及び図２において説明される本開示のシステムは、１つのスペクトルの単一のパルスまたは複数のパルスの後に、遅延を置いて別のスペクトルのパルス化が可能なように、近赤、緑、青、及び遠赤色などの１つ以上の色またはスペクトルの光を異なる時点、継続時間、及び強度で循環させることを通して、鳥の様々な反応の操作及び制御を可能にする。パルス間の遅延を伴う継続時間にわたる個別色スペクトルの一斉パルス化、または個別パルス化は、鳥の反応の制御を通した排卵から仕上げまでの効率及び速度の向上を可能にする。本明細書において説明されるシステムは、空腹感または特定の気分などの特定反応に鳥を保つ能力を提供する。
【００８７】
[0087]実施例として、鳥に対し特定色スペクトルのパルスを使用することで、鳥の群れは排卵を誘発され得ることが、研究により示されている。この時点で、１つの群れに対し、空腹感または気分の制御を助長し可能にするように、プロトコルを変更してもよい。
【００８８】
[0088]光子放出器から光子を生成するために様々な光源またはデバイスが使用され得るが、それらのうちの多くは、当技術分野において知られている。しかしながら、光子放出器からの光子の放出または生成に好適なデバイスまたは光源の一実施例としては、所望のスペクトルの光子を生成するように設計されたＬＥＤアレイ内にパッケージングされ得るＬＥＤが挙げられる。この実施例においてはＬＥＤが示されるが、光子の放出には、メタルハライド光、蛍光灯、高圧ナトリウム灯、白熱灯、及びＬＥＤを含むがこれらに限定されない様々な光源を使用してもよいことが、当業者には理解されよう。本明細書において説明される方法、システム、及び装置と共にメタルハライド灯、蛍光灯、高圧ナトリウム灯、白熱灯が使用される場合、これらの形態の光子放出器の適切な使用は、光を変調し、次に濾光して、どの波長がどれだけの継続時間通過するかを制御することであると、留意されたい。
【００８９】
[0089]本開示の実施形態は、特定色スペクトル及び強度の光子放出の継続時間を含む、光子放出の様々な継続時間を伴うＬＥＤに適用することができる。光子信号内の特定色スペクトルのパルス化光子放出は、鳥の育成の生化学的プロセスを促進する際、対象の鳥、鳥の年齢、及び放出の使用方法に応じて、より長く、またはより短くなり得る。
【００９０】
[0090]ＬＥＤのアレイの使用は、ニワトリまたはシチメンチョウなどにおける特定の鳥の排卵または成長のための１つ以上の色スペクトルの最適な光子パルスを供給するように、制御され得る。ユーザは、鳥の効率的な生体反応を助長するために、特定の種類の鳥用の光子パルス強度、色スペクトル、頻度、及びデューティサイクルを、単純に選択してもよい。ＬＥＤパッケージは、各鳥の特定要件を満たすようにカスタマイズが可能である。カスタマイズされたパルス化光子放出を伴うパッケージングされたＬＥＤアレイを使用することにより、前述のように、本明細書において説明される実施形態は、光を制御して、対象の鳥における殻の厚さ、鳥の体重、及び性的成熟を変更するために使用され得る。
【００９１】
[0091]図３は、光子放出器からの光子源としてＬＥＤアレイを有する複数の光子放出器１０６及び１０８の一実施例３００の図である。図３に示されるように、光子放出変調コントローラ１０４は、複数の光子放出器制御信号１３６により、複数の光子放出器１０６及び１０８と通信する。図３にさらに示されるように、それぞれの光子放出器１０６及び１０８は、ＬＥＤアレイ３０２、３０４、３０６、及び３０８を備える。それぞれのＬＥＤアレイ３０２、３０４、３０６、及び３０８、ならびにＬＥＤアレイが光子放出変調コントローラ１０４と通信することを可能にする回路は、ＬＥＤアレイ筐体３１０、３１２、３１４、及び３１６に含まれる。
【００９２】
[0092]図３に示されるように、ＬＥＤアレイの形状は円形であるが、当業者には理解されるように、アレイの形状は、必要な鳥の生体反応に基づいて様々な形態を取り得る。アレイの形状には、円形、正方形、長方形、三角形、八角形、五角形、ロープ状照明、及び様々な他の形状が含まれ得るが、これらに限定されない。
【００９３】
[0093]光子放出器１０６及び１０８ごとのＬＥＤアレイ筐体３１０、３１２、３１４、及び３１６は、ラスチック、熱可塑性、及び他の種類のポリマー材料を含むがこれらに限定されない様々な好適な材料で、製作され得る。また複合材料または他の工学材料が使用されてもよい。いくつかの実施形態において、筐体は、プラスチック射出成形製造プロセスにより製作され得る。いくつかの実施形態において、筐体は、透明または半透明であっても、任意の色であってもよい。
【００９４】
[0094]図４は、１つ以上のスレーブ光子放出器と通信しこれらを制御するマスタ光子放出器を有する複数の光子放出器の一実施例４００の図である。図４に示されるように、マスタ光子放出器４０２は、光子制御信号１３６により、一連のスレーブ光子放出器４０４、４０６、及び４０８と通信する。マスタ光子放出器４０２は、ＭＬＣ（図１及び２の１０２）ならびに光子放出変調コントローラ（図１及び２にて１０４として図示）などのコントローラを含み、コントローラは、マスタ光子放出器４０２内に収容されるＬＥＤアレイからの各光子信号内の各特定色スペクトル光子パルスに関してオン継続時間及び強度、オフ継続時間、及び頻度を制御し、同時にマスタ光子放出器が、各スレーブ光子放出器４０４、４０６、及び４０８からの各光子信号内の各特定色スペクトル光子パルスに関してオン継続時間及び強度、オフ継続時間、及び頻度を制御することも可能にする。
【００９５】
[0095]反対に、それぞれのスレーブ光子放出器４０４、４０６、及び４０８は、マスタ光子放出器４０２からのコマンド信号１３６を受信する回路と、それぞれのスレーブ光子放出器４０４、４０６、及び４０８内に収容されたＬＥＤアレイからの特定のスペクトル（近赤、遠赤、青、緑、または橙色など）の光子パルスを放出するために必要な回路とを含む。明確化のために説明すると、各スレーブ光子放出器はＭＬＣなどのコントローラを含まず、またスレーブ光子放出器４０４、４０６、及び４０８は光子放出変調コントローラも含まない。スレーブ光子放出器４０４、４０６、及び４０８に対する全てのコマンド及び制御は、マスタ光子放出器４０２から受信される。このマスタ／スレーブシステムにより、単一の電源及びマイクロコントローラの共有が可能となる。マスタは電源を有し、その電力はスレーブにも転送される。さらに、マスタ／スレーブシステムは、他の鳥における生体反応の活性化を助長するパターンで光子をパルス化することにも、利用することができる。
【００９６】
[0096]マスタ光子放出器４０２による各個別スレーブ光子放出器４０４、４０６、及び４０８の特定の制御を可能にするために、バスシステムが、マスタ光子放出器４０２のＭＬＣに、または各スレーブ光子放出器４０４、４０６、及び４０８に含まれ得る。実施例として、マスタ光子放出器４０２は、特定のスレーブ光子放出器４０４に対し、特定の継続時間にわたり遠赤色パルスを有する光子信号を放出するように特定のスレーブ光子放出器４０４に命令する信号１３６を送信し得、一方、マスタ光子放出器４０２は同時に、第２のスレーブ光子放出器４０６に対し、特定の継続時間にわたり緑色パルスを有する光子信号を放出するようにコマンド信号１３６を送信する。この説明的実施例は、マスタ光子放出器４０２と通信するアレイ、複数、または連鎖の３つのスレーブ光子放出器４０４、４０６、及び４０８を示すが、実施形態の原理を一度理解した当業者には理解されるように、この説明は、マスタ光子放出器と通信し、マスタ光子放出器により制御される任意の数のスレーブ光子放出器を有するいずれの然るシステムにも適用可能であることを理解されたい。
【００９７】
[0097]さらなる実施形態において、ホストによるマスタ光子放出器４０２への外部アクセスを可能にするために、マスタ光子放出器４０２は結線接続または無線接続されてもよく、これにより、マスタ光子放出器４０２の入力及び出力を監視する遠隔アクセスが可能となり、同時にマスタ光子放出器の遠隔プログラミングも可能となる。
【００９８】
[0098]図５は、１つ以上の光子放出器と通信しこれらを制御するマスタ論理コントローラの一実施例５００の図である。図５に示されるように、マスタ論理コントローラ１０２は、光子放出制御信号１３６により、４羽の異なる鳥５１２、５１４、５１６、または５１８の上に配置された一連の光子放出器１０６、５０２、５０４、及び５０６と通信する。この実施例において、マスタ論理コントローラすなわちＭＬＣ１０２（図１、２、及び３にて前に論述）は、光子放出変調コントローラ１０４（図１、２、及び３にて図示かつ論述）も含み、これによりＭＬＣ１０２は、それぞれの光子放出器１０６、５０２、５０４、及び５０６内に収容されたＬＥＤアレイからの光子信号内の各特定色スペクトル光子パルスに関してオン継続時間及び強度、オフ継続時間、ならびに頻度を制御することが可能となる。
【００９９】
[0099]ＭＬＣ１０２は、光子放出変調コントローラ１０４を通して、それぞれの光子放出器１０６、５０２、５０４、及び５０６からのそれぞれの光子信号５０８及び５１０内の各特定色スペクトル光子パルスに関するオン継続時間、強度、オフ継続時間、及び頻度を含むがこれらに限定されないコマンド及び命令を、それぞれの光子放出器１０６、５０２、５０４、及び５０６へ通信する。ＭＬＣ１０２はまた、システムに対する電源の制御を維持し、それぞれの個別光子放出器１０６、５０２、５０４、及び５０６に対する電力の転送を制御する。
【０１００】
[0100]図５に示されるように、ＭＬＣ１０２からの命令に基づいて、光子放出変調コントローラ１０４は、光子放出制御信号１３６を、それぞれの個別光子放出器１０６、５０２、５０４、及び５０６へ送信する。それぞれの光子放出器１０６、５０２、５０４、及び５０６へ送信された特定の命令に基づいて、個別光子放出器１０６または５０６は、１つ以上の特定色スペクトルの繰返し光子パルスを含む光子信号５０８及び５１０を、鳥５１２、５１４、５１６、または５１８に対し放出する（様々なオン及びオフ継続時間の遠赤色パルス及び近赤色パルスを有する光子信号５０８、または様々なオン及びオフ継続時間の遠赤色パルス、近赤色パルス、及び青色パルスを有する光子信号５１０など）。図５においてさらに示されるように、ＭＬＣ１０２からの命令に基づいて、他の個別光子放出器５０２または５０４は、継続時間にわたり鳥１２２に対し光子信号を放出し得ない。
【０１０１】
[0101]それぞれの個別光子放出器１０６、５０２、５０４、及び５０６からの光子出力または放出を制御するＭＬＣ１０２の能力により、本開示のシステムは、鳥に関する特定の必要性または要件に基づいて、鳥に対する光子放出を修正することが可能となる。図２に関連して論述されるように、実施例として、排卵／産卵、及び気分／空腹などの鳥の生体反応の制御のため、ある時間にわたり遠赤色光のパルス、続いて近赤色光と組み合わされた信号内の青色光のパルスを変調するよう、特定の放出器に対し信号を発するように、ＭＬＣはプログラムされ得る。
【０１０２】
[0102]図５に示される実施例において、それぞれの光子放出器１０６、５０２、５０４、及び５０６に対する全てのコマンド及び制御は、ＭＬＣ１０２から外部的に受信される。しかしながら、当業者には理解されるように、ＭＬＣ１０２に対応付けられた論理及びハードウェア、ならびに光子放出変調コントローラ１０４は、各個別光子放出器内に収容されてもよく、これにより各個別光子放出器は、外部制御または論理ユニットを必要とすることなく、自立することが可能となる。
【０１０３】
[0103]さらなる実施形態において、ＭＬＣ１０２は、結線接続または無線接続されてもよく、これによりユーザがＭＬＣ１０２へ外部アクセスすることが可能となる。これにより、ユーザは遠隔アクセスでＭＬＣ１０２の入力及び出力を監視することが可能となり、同時にＭＬＣ１０２の遠隔プログラミングも可能となる。
【０１０４】
[0104]図６は、鳥の環境条件ならびに鳥の反応を監視するために１つ以上のセンサが使用される本開示の光子変調システムを示すさらなる実施形態の一実施例６００を提示する。図６に示されるように、鳥６１８、６２０、６２２、及び６２４に関連する様々な状態を監視するために、１つ以上のセンサ６０２、６０４、６０６、及び６０８が、それぞれの鳥６１８、６２０、６２２、及び６２４に対応付けられている。監視され得る１羽以上の鳥に関連する状態には、湿度、気温、体積、動き、Ｏ２、ＣＯ２、ＣＯ、ｐＨ、及び体重が含まれるが、これらに限定されない。当業者には理解されるように、センサには、温度センサ、赤外線センサ、運動センサ、マイクロフォン、ガスセンサ、カメラ、及び秤が含まれ得るが、これらに限定されない。
【０１０５】
[0105]センサ６０２、６０４、６０６、及び６０８は、１羽以上の鳥６１８、６２０、６２２、及び６２４に関連する１つ以上の状態を監視し、次にデータ６１０、６１２、６１４、または６１６をＭＬＣ１０２へ送信する。１つ以上のセンサ６０２、６０４、６０６、及び６０８からのデータのＭＬＣ１０２への送信は、無線または結線接続により数多くの方法で達成することができる。当業者には理解されるように、鳥６１８、６２０、６２２、及び６２４からのセンサ派生情報をＭＬＣ１０２へ配信するために、様々な通信システムが使用され得る。
【０１０６】
[0106]１つ以上のセンサ６０２、６０４、６０６、及び６０８からのデータは、ＭＬＣ１０２により分析される。センサからの情報に基づいて、ＭＬＣ１０２は、光子放出変調コントローラ１０４を介して、それぞれの個別光子放出器１０６及び１０８の各光子信号１１８の各特定色スペクトル光子パルスに関するオン継続時間、強度、オフ継続時間、デューティサイクル、及び頻度を調節すること、または特定センサ６０２、６０４、６０６、及び６０８に対応付けられた個々の鳥６１８、６２０、６２２、及び６２４の必要性、もしくは全体の鳥の必要性を基に、光子放出器群のオン継続時間、強度、オフ継続時間、デューティサイクル、及び頻度を調節することが可能である。一実施例としては、様々な継続時間の青色及び遠赤色の両者を含むようにパルスを調整すること１１８、または遠赤色、緑色、及び青色のパルスの継続時間を調節すること６１０が挙げられ得る。
【０１０７】
[0107]追加の実施形態において、本開示のシステムはまた、ＭＬＣ１０２または別個の論理コントローラと通信し、これにより制御される給水システム、給餌システム、環境ならびに健康システム（図６に図示せず）も含み得る。１羽以上のそれぞれの鳥に対応付けられたセンサ６０２、６０４、６０６、及び６０８からの情報に基づいて、ＭＬＣ１０２は、鳥の必要性を基に、給水システム、給餌システム、冷暖房システム、投薬システムと通信することができる。電力を含むデータは、システムに接続されていないデータベースなどの外部受信器へ送信することができる。
【０１０８】
[0108]図７は、一連のソリッドステートリレーすなわちＳＳＲと通信するＬＥＤアレイの一実施形態の一実施例７００を提示する。図７に示され、図１から繰り返されるように、ＭＬＣ１０２は、通信信号１３４により、光子放出変調コントローラ１０４と通信する。この実施例の光子放出変調コントローラ１０４は、３つのＳＳＲを含む。ＭＬＣ１０２は、ＳＳＲを制御する信号を出力する。第１ＳＳＲ７０２は近赤色ＬＥＤアレイを制御し、第２ＳＳＲ７０４は遠赤色ＬＥＤアレイを制御し、第３ＳＳＲ７０６は青色ＬＥＤアレイを制御する。それぞれのＳＳＲ７０２、７０４、及び７０６は、光子放出信号１３６により、ＬＥＤアレイ７１４、７１６、及び７１８と通信する。図７に示されるように、近赤色ＳＳＲ７０２は、近赤色ＬＥＤアレイ７１４に対し、近赤色電圧７０８を含む近赤色ＬＥＤ７１４の光子パルスを開始するように、光子放出信号１３６を送信する。近赤色電圧７０８は次に、近赤色ＬＥＤアレイ７１４から、６８オーム抵抗器など、それぞれが接地７４４に接続された一連の抵抗器７２０、７４２、７３８へ送られる。
【０１０９】
[0109]図７にさらに示されるように、遠赤色ＳＳＲ７０４は、遠赤色ＬＥＤアレイ７１８に対し、遠赤色電圧７１０を含む遠赤色ＬＥＤの光子パルスを開始するように、光子放出信号１３６を送信する。遠赤色電圧７１０は次に、遠赤色ＬＥＤアレイ７１８から、３９０オーム抵抗器など、それぞれが接地７４４に接続された一連の抵抗器７２４、７２８、７３２、及び７３４へ送られる。図７はまた、青色ＳＳＲ７０６が、青色ＬＥＤアレイ７１６に対し、青色電圧７１２を含む青色ＬＥＤの光子パルスを開始するように、光子放出信号１３６を送信することを示す。青色電圧７１２は次に、青色ＬＥＤアレイ７１６から送り出され、１５０オーム抵抗器など、それぞれが接地７４４に接続された一連の抵抗器７２２、７２６、７３０、７３６、及び７４０へ送られる。
【０１１０】
[0110]図８ａ〜８ｄは、本明細書において説明されるシステム及び方法において使用される、信号内で光子を放出する例示的光アセンブリの様々な態様を示す。図８ａは、光アセンブリ内の多色ダイの電力変換器、シリアル周辺機器インターフェース（ＳＰＩ）、及びマイクロコントローラを示す写真である。図８ｂは、図８ａの光アセンブリ内の多色ダイの背面を示す写真である。図８ｃは、図８ａの光アセンブリ内の多色ダイの点滅用高速スイッチング回路を示す写真である。図８ｄは、交換可能な多色ダイＬＥＤを有する図８ｃの光アセンブリの背面を示す写真である。
【０１１１】
[0111]図８ａ〜８ｄの光アセンブリは、マスタ光子放出器、ならびにマスタ光子放出器と通信する任意の追加光子放出器からの光子及び信号の放出に関する全ての論理及び制御をマスタ光子放出器が包含するマスタ／スレーブシステムを含む本明細書において説明されるいくつかの実施形態において使用され得る。図８ａ〜８ｄの光アセンブリはまた、コントローラシステムにおいても使用され得る。前述のように、コントローラは、２つ以上の光子放出器と通信する。
【０１１２】
[0112]図９は、ＬＥＤアレイ内のＬＥＤの例示的配置図９００を提示する。図９に示されるように、１２個のＬＥＤが、光子放出器筐体３１０内において光子放出器のアレイ３０２を形成する。サンプル配置図は、４００ｎｍ（紫）９０２、４３６ｎｍ（濃紺）９０４、４５０ｎｍ（ロイヤルブルー）９０６、４６０ｎｍ（デンタルブルー）９０８、４９０ｎｍ（青緑）９１０、５２５ｎｍ（緑）９１２、５９０ｎｍ（琥珀）９１４、６２５ｎｍ(赤）９１６、６６０ｎｍ（深紅）９１８、及び７４０ｎｍ（遠赤）９２０を含む。
【０１１３】
[0113]図１０は、鳥の成長のためにパルス化される個別色スペクトルを変調する方法１０００を示すフロー図である。図１０に示されるように、ステップ１００２において、マスタ論理コントローラは、パルス化する各個別色スペクトル、各色スペクトルの各パルスの継続時間、パルス化する色の組み合わせ、及び各色スペクトルパルス間の遅延継続時間に関する命令を受信する。マスタ論理コントローラに送られる命令及び情報は、パルス化する各色の光子パルス継続時間、光子パルス遅延、強度、頻度、デューティサイクル、鳥の種類、鳥の成熟状態及び産卵の種類、ならびに若いブロイラー鳥の誘発したい成長及び行動に関し得る。ステップ１００４において、マスタ論理コントローラは、パルス化する各色スペクトル、各色スペクトルの各パルスの継続時間、パルス化する色の組み合わせ、及び異なる色スペクトル間の遅延継続時間に関する命令を、光子放出変調コントローラに送信する。ステップ１００６において、光子放出変調コントローラは、鳥に向かって緑色ＬＥＤ、遠赤色ＬＥＤ、青色ＬＥＤ、及び橙色ＬＥＤなどの１つ以上の個別色スペクトルのパルスを放出可能な１つ以上の光子放出器に対し、少なくとも１つの信号を送信する。ステップ１００８において、１つ以上の光子放出器は、鳥に対する個別色スペクトルの１つ以上の光子パルスを放出する。
【０１１４】
[0114]図１１は、鳥センサからの情報に基づいて鳥において所望する反応を活性化するフロー図を示す、本開示の追加実施形態１１００を提示する。ステップ１１０２に示されるように、鳥センサは、鳥の環境に関連する１つ以上の状態を監視する。監視する状態には、気温、湿度、鳥の体温、体重、音、鳥の動き、赤外線、Ｏ２、ＣＯ２、及びＣＯが含まれるが、これらに限定されない。ステップ１１０４において、鳥センサは、鳥に関連する環境または物理的状態に関するデータを、ＭＬＣへ送信する。ＭＬＣは次に鳥センサから送信されたデータを分析する、または、システムから遠隔にある第三者ソフトウェアプログラムにより分析が行われてもよい。ステップ１１０６において、鳥センサからの情報に基づいて、ＭＬＣは、気温または湿度などの環境の実施形態を変更する命令を送信する。ステップ１１０８において、環境システムは、センサからのデータの分析に基づいて、１匹以上の動物に対するイベントを開始する。当業者には理解されるように、イベントの調整は、１羽の特定の鳥の環境に対する調整などのミクロレベルであり得、または調整は、育成室全体または育成操作全体などのマクロレベルであり得る。ステップ１１１０において、鳥センサからの情報に基づいて、ＭＬＣは、点滴、栄養膜、または栄養注入システムなどの給餌システム、栄養供給システム、または栄養供給源に対し、栄養物供給イベント中に鳥に配給する栄養物のタイミング及び／または濃度に関する命令を送信する。ステップ１１１２において、栄養供給システムは、鳥センサからのデータの分析に基づいて、鳥に対し栄養物を送る栄養供給イベントを開始する。当業者には理解されるように、栄養供給イベントの調整は、１羽の特定の鳥に対する栄養供給の調節などのミクロレベルであり得、または調整は、育成室全体または育成操作全体などのマクロレベルであり得る。ステップ１１１４において、鳥センサからのデータの分析に基づいて、ＭＬＣは、特定の動物または動物群に対する色スペクトルの様々なパルスのうちの各光子パルスに関する継続時間、強度、色スペクトル、及び／またはデューティサイクルを調整する命令を、光子放出変調コントローラへ送信する。ステップ１１１６において、光子放出変調コントローラは、特定の動物または動物群に対する色スペクトルの様々なパルスのうちの各光子パルスに関する継続時間、強度、色スペクトル、及び／またはデューティサイクルを調整する信号を、１つ以上の光子放出器へ送信する。ステップ１１１８において、光子放射変調コントローラから受信された信号に基づいて、１つ以上の光子放出器は、動物または動物群に対する個別色スペクトルの１つ以上の光子パルスを放出する。
【０１１５】
[0115]図１２は、鳥の排卵及び鳥の産卵を統制活性化するためにオン継続時間及びオフ継続時間を示す近赤色の繰返し光子パルスを有する例示的光子信号を示すグラフである。図１２に示され、図１〜１１において前述されたように、光子信号内の１つの色スペクトルの繰返し光子パルスを有する光子信号の循環に関する実施例が提示され、当実施例において、繰返し近赤色光子パルスを有する光子信号が光子放出器から放出される。グラフに示されるように、近赤色スペクトルが最初にパルス化され、その後に遅延が続く。次に、近赤色スペクトルを含む第２のパルスが再パルス化され、その後に遅延が続く。この光子信号は、無期限に、または光子パルス受信状況で鳥の排卵及び鳥の産卵が所望する生産量に到達するまで、繰り返され得る。繰返し光子パルス集合を有する光子信号のこの説明的実施例は、１つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに拡張暗周期などのイベントを考慮した光子放出遅延の変化を可能にするようにプログラムされ得る。
【０１１６】
[0116]図１３は、近赤色及び遠赤色の２つの色スペクトルの光子パルスを含む例示的光子信号を示すグラフである。この図表の時間尺度は縮尺通りではないが、排卵を活性化するために利用され得る光子信号内の色スペクトル、オン継続時間、オフ継続時間、頻度、及びデューティサイクルの変化を示す例示的実施形態として役立つ。図１３に示され、図１〜１１において前述されたように、本開示の様々な色スペクトルの光子パルスの循環に関する別の実施例が提示され、当実施例において、２つの色スペクトルの光子パルスを含む光子信号が光子放出器から放出される。グラフに示されるように、遠赤色スペクトルが最初にパルス化され、その後に遅延が続き、次に近赤色スペクトルのパルスが続き、その後に遅延が続く。次に、近赤色の第２パルスが開始され、その後に遅延が続き、その後に遠赤色の個別パルスが続く。この光子信号は、無期限に、または所望の鳥の反応が始まるまで、繰り返され得る。上記に論述されたように、この実施例は、排卵を活性化するために、または鳥の概日リズムをリセットするためにも使用され得る。光子パルス集合のこの説明的実施例は、２つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに延長無光周期などのイベントを考慮した光子放出遅延の変化を可能にするようにプログラムされ得る。
【０１１７】
[0117]図１４は、近赤色及び遠赤色の２つの色スペクトルの光子パルスを含む第２の例示的光子信号を示すグラフである。先と同様に、この図表の時間尺度は縮尺通りではないが、排卵を活性化するために利用され得る光子信号内の色スペクトル、オン継続時間、オフ継続時間、頻度、及びデューティサイクルの変化を示す例示的実施形態として役立つ。図１４に示され、図１〜１１において前述されたように、本開示の様々な色スペクトルの光子パルスの循環に関する別の実施例が提示され、当実施例において、２つの色スペクトルの光子パルスを含む光子信号が光子放出器から放出される。グラフに示されるように、遠赤色スペクトルが、５つのパルスの連続またはパルス列でパルス化され、その後に近赤色スペクトルのパルスが続き、その後に遅延が続く。この光子信号は、無期限に、または所望の鳥の反応が始まるまで、繰り返され得る。上記に論述されたように、この実施例は、排卵を活性化するために、または鳥の概日リズムをリセットするためにも使用され得る。光子パルス集合のこの説明的実施例は、２つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに延長無光周期などのイベントを考慮した光子放出遅延の変化を可能にするようにプログラムされ得る。
【０１１８】
[0118]図１５は、青色及び緑色の２つの色スペクトルの光子パルスを含む例示的光子信号を示すグラフである。この図表の時間尺度は縮尺通りではないが、空腹感または特定の気分を活性化するため、及び鳥の概日リズムをリセットするために利用され得る色スペクトル、頻度、及びデューティサイクルの変化を示す例示的実施形態として役立つ。図１５に示され、図１〜１１において前述されたように、本開示の様々な色スペクトルの光子パルスの循環に関する別の実施例が提示され、当実施例において、２つの色スペクトルの光子パルスが光子放出器から放出される。グラフに示されるように、青色及び緑色のパルスが最初にパルス化され、その後に遅延が続く。次に、青色の第２パルスが開始され、その後に遅延が続き、その後に緑色の個別パルスが続く。この循環は、無期限に、または所望の鳥の反応が始まるまで、繰り返され得る。上記に論述されたように、この実施例はまた、空腹感、気分を活性化するために、または鳥の概日リズムをリセットするためにさえも、使用され得る。光子パルス集合のこの説明的実施例は、２つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに延長無光周期などのイベントを考慮した光子放出遅延の変化を可能にするようにプログラムされ得る。
【０１１９】
[0119]図１６のグラフは、近赤色、青色、及び緑色の３つの色スペクトルの光子パルスを含む例示的光子信号を示す。この図表の時間尺度は縮尺通りではないが、排卵、空腹感、または特定の気分を活性化するため、及び鳥の概日リズムをリセットするために利用され得る色スペクトル、頻度、及びデューティサイクルの変化を示す例示的実施形態として役立つ。図１６に示され、図１〜１１において前述されたように、本開示の様々な色スペクトルの光子パルスの循環に関する別の実施例が提示され、当実施例において、３つの色スペクトルの光子パルスが光子放出器から放出される。グラフに示されるように、近赤色パルスが供給され、その後に遅延が続く。次に、青色のパルスが開始され、その後に遅延が続き、その後に緑色の個別パルスが続く。この循環は、無期限に、または所望の鳥の反応が始まるまで、繰り返され得る。上記に論述されたように、この実施例はまた、排卵、空腹感、気分を活性化するために、または鳥の概日リズムをリセットするためにさえも、使用され得る。光子パルス集合のこの説明的実施例は、３つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに延長無光周期などのイベントを考慮した光子放出遅延の変化を可能にするようにプログラムされ得る。
【０１２０】
[0120]図１７のグラフは、緑色、紫外色、橙色、近赤色、及び青色の５つの色スペクトルの光子パルスを含む例示的光子信号を示す。この図表の時間尺度は縮尺通りではないが、排卵、空腹感、または特定の気分を活性化するため、及び鳥の概日リズムをリセットするために利用され得る色スペクトル、頻度、及びデューティサイクルの変化を示す例示的実施形態として役立つ。図１７に示され、図１〜１１において前述されたように、本開示の信号内の様々な色スペクトルの光子パルスの循環に関する別の実施例が提示され、当実施例において、５つの色スペクトルの光子パルスが光子放出器から放出される。グラフに示されるように、緑色及び紫外色のパルスが供給され、その後に遅延が続く。次に、近赤色のパルスが開始され、その後に遅延が続き、その後に緑色及び紫外色のパルスが続く。この循環は、緑色及び紫外色の５つのパルス、近赤色の３つのパルス、次に青色及び橙色の１つのパルスで繰り返され得る。このパルス信号は、無期限に、またはパルス信号の下で所望の鳥の反応が始まるまで、繰り返され得る。上記に論述されたように、この実施例はまた、排卵、空腹感、気分を活性化するために、または鳥の概日リズムをリセットするためにさえも、使用され得る。光子パルス集合のこの説明的実施例は、３つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに延長無光周期などのイベントを考慮した光子放出遅延の変化を可能にするようにプログラムされ得る。
【０１２１】
[0121]図１８は、近赤色及び遠赤色の２つの色スペクトルの光子パルスを含む第３の例示的光子信号を示すグラフである。この図表の時間尺度は縮尺通りではないが、排卵を活性化するために利用され得る光子信号内の色スペクトル、オン継続時間、オフ継続時間、頻度、及びデューティサイクルの変化を示す例示的実施形態として役立つ。図１８に示され、図１〜１１において前述されたように、本開示の信号内の様々な色スペクトルの光子パルスの循環に関する別の実施例が提示され、当実施例において、２つの色スペクトルの光子パルスを含む光子信号が光子放出器から放出される。グラフに示されるように、遠赤色スペクトルが最初にパルス化され、その後に遅延が続き、次に近赤色スペクトルのパルスが続き、その後に遅延が続く。次に、近赤色の第２パルスが開始され、その後に遅延が続き、その後に遠赤色の個別パルスが続く。この光子信号は、無期限に、または所望の鳥の反応が始まるまで、繰り返され得る。上記に論述されたように、この実施例は、排卵を活性化するために、または鳥の概日リズムをリセットするためにも使用され得る。光子パルス集合のこの説明的実施例は、２つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに延長無光周期などのイベントを考慮した光子放出遅延の変化を可能にするようにプログラムされ得る。
【０１２２】
[0122]図１９は、近赤色及び遠赤色の２つの色スペクトルの光子パルスを含む例示的光子信号を示すグラフである。この図表の時間尺度は縮尺通りではないが、排卵を活性化するために利用され得る光子信号内の色スペクトル、変動する強度を伴うオン継続時間、オフ継続時間、頻度、及びデューティサイクルの変化を示す例示的実施形態として役立つ。図１９に示され、図１〜１１において前述されたように、本開示の様々な色スペクトルの光子パルスの循環に関する別の実施例が提示され、当実施例において、２つの色スペクトルの光子パルスを含む光子信号が光子放出器から放出される。グラフに示されるように、第１強度の遠赤色スペクトルが最初にパルス化され、その後に遅延が続き、次に異なる強度の遠赤色及び近赤色スペクトルのパルスが続き、その後に遅延が続く。次に、異なる強度の近赤色及び遠赤色の第２パルスが放出され、その後に遅延が続き、その後に異なる強度の遠赤色の個別パルスが続き、それから同じ強度の近赤色のパルスが続く。この光子信号は、無期限に、または光子パルスを受信することにより所望の鳥の反応が始まるまで、繰り返され得る。上記に論述されたように、この実施例は、排卵を活性化するために、または鳥の概日リズムをリセットするためにも使用され得る。光子パルス集合のこの説明的実施例は、変動する強度の２つの色スペクトルのオフセットパルス化を伴うが、この説明は、米国標準アナログ周波数照明放出規格６０Ｈｚ及び欧州標準アナログ周波数照明放出規格５０Ｈｚを除いて、近赤、遠赤、赤外、緑、青、黄、橙、及び紫外色を含むがこれらに限定されない色スペクトルのパルスの様々な組み合わせのように、ある時間にわたり他の光子パルス放出を伴ういずれの然るシステムにも、適用可能であることを理解されたい。各個別色スペクトルまたは色スペクトルの組み合わせのパルス間の光子パルス継続時間の実施例としては、０．０１マイクロ秒〜５０００ミリ秒、及びその間の全ての数の時間が挙げられ得るが、これらに限定されない。本開示のシステムはまた、０．１マイクロ秒〜２４時間、及びその間の全ての数の時間を含むがこれらに限定されない、各個別色スペクトルまたは色スペクトルの組み合わせのパルス間の他の継続時間も可能とする。本開示のシステムは、光子放出の変化、ならびに延長無光周期などのイベントを考慮した光子放出遅延の変化を可能にするようにプログラムされ得る。
【０１２３】
[0123]以下の表１は、照明オプションの表を提示する。表１に示されるように、列１は照明オプションまたはパルス信号の名称または呼称を提示し、列２は照明オプションにおける色パルスを提示し、列３はパルス信号内の各パルスのオン継続時間であり、列４はパルス信号内の各パルスのオフ継続時間であり、列５はオンからオフまでの時間を提示し、列６は照明オプション内の各色のアンペア数であり、列７は２４時間ベースで各オプションが有効である継続時間または時間の長さである。
【表１】
2020120669.tif 000003
2020120669.tif 000004
[実施例]
以下の実施例は、様々な適用をさらに例示するために提供され、添付の特許請求の範囲に明記される限定を超えて本発明を限定する意図はない。
【０１２４】
平均産卵の増加
[0124]２０１６年の冬及び春にＣｏｌｏｒａｄｏ州Ｇｒｅｅｌｅｙにて、現開示の照明システム及び方法を用いて６つの比較研究が実施され、標準的な市販の照明を用いた商業的産卵システムにおいて生産される卵との比較が行われた。
【０１２５】
[0125]本明細書において説明される本出願のシステムの下で生産された卵は、若雌鶏から飼育された白色レグホン種の様々な品種を用いて、Ｕｎｉｔｅｄ  Ｅｇｇ  Ｐｒｏｄｕｃｅｒｓ  Ａｎｉｍａｌ  Ｈｕｓｂａｎｄｒｙ  Ｇｕｉｄｅｌｉｎｅｓに従って生産された。鳥は、ケージごとに１羽、テントごとに８羽の状態で、遮光育成テント内のケージに収容された。鳥には、主にトウモロコシ、大豆ミール、石灰石、ビタミン、及びミネラルから成る全天然の１００％菜食が与えられ、食事、給餌及び給水回数は、商業比較対象の鳥に合わせられた。
【０１２６】
[0126]産卵の商業比較となったのは、Ｃｏｌｏｒａｄｏ州北部に位置する従来の卵生産施設であった。全ての卵は、若雌鶏から飼育された白色レグホン種の様々な品種を用いて、Ｕｎｉｔｅｄ  Ｅｇｇ  Ｐｒｏｄｕｃｅｒｓ  Ａｎｉｍａｌ  Ｈｕｓｂａｎｄｒｙ  Ｇｕｉｄｅｌｉｎｅｓに従って生産された。鳥は、主にトウモロコシ、大豆ミール、石灰石、ビタミン、及びミネラルから成る全天然の１００％菜食が与えられた。ホルモンや興奮剤は、全く使用されなかった。商業比較対象の卵を生産する鳥は、換気扇及び温度、蛍光灯、給餌装置の作動及び停止を監視及び制御し、ならびに消費水量を監視するコンピュータ化された環境管理システムの下に収容された。生産された卵は、毎朝午前９時に数えられ、共通の秤を用いて重さを測定された。
【０１２７】
実施例１−平均産卵−照明オプション１
[0127]表２は、照明オプション１（表１）を用いた本出願のシステム及び方法における鳥の総数に対する平均産卵率と、従来の商業照明を用いた従来の生産施設における鳥の総数に対する平均産卵率との比較を示す。
【０１２８】
[0128]表２に示され、図２０に例示されるように、比較は、１８週齢の鳥（ニワトリ）を用いて開始された。本出願のシステムの照明下で育成された鳥は、第１９週に産卵を開始し、第２０週に２１．４３％、第２１週に５５．３６％の鳥が産卵し、第２６週についに１００％の生産に到達、すなわち全ての鳥が産卵した。反対に、商業比較の照明システムは、第２０週に３．７８％の産卵が始まり、第２１週に２５．４４％、第２６週に９６．２７％の産卵があった。表２に示されるように、第１８週〜第３６週に、本出願の照明下で育成された鳥の産卵率は、商業照明システム下で成長または生活した鳥と比べて、増加した。
【表２】
2020120669.tif 000005
【０１２９】
実施例２−平均産卵−照明オプション２
[0129]表３は、照明オプション２（表１）を用いた本出願のシステム及び方法における鳥の総数に対する平均産卵率と、従来の商業照明を用いた従来の生産施設における鳥の総数に対する平均産卵率との比較を示す。
【０１３０】
[0130]表３に示され、図２１に例示されるように、比較は、１８週齢の鳥（ニワトリ）を用いて開始された。本出願のシステムの照明下で育成された鳥は、第１９週に産卵を開始し、第２０週に２５．００％、第２１週に７１．４３％の鳥が産卵し、第２８週についに１００％の生産に到達、すなわち全ての鳥が産卵した。反対に、商業比較の照明システムは、第２０週に３．７８％の産卵が始まり、第２１週に２５．４４％、第２６週に９６．２７％の産卵があった。表３に示されるように、第１８週〜第３６週に、本出願の照明下で育成された鳥の産卵率は、商業照明システム下で成長または生活した鳥と比べて、増加した。
【表３】
2020120669.tif 000006
【０１３１】
実施例３−平均産卵−照明オプション３
[0131]表４は、照明オプション３（表１）を用いた本出願のシステム及び方法における鳥の総数に対する平均産卵率と、従来の商業照明を用いた従来の生産施設における鳥の総数に対する平均産卵率との比較を示す。
【０１３２】
[0132]表４に示され、図２２に例示されるように、比較は、１８週齢の鳥（ニワトリ）を用いて開始された。本出願のシステムの照明下で育成された鳥は、第１９週に産卵を開始し、第２０週に１７．８６％、第２１週に６４．２９％の鳥が産卵し、第２４週についに１００％の生産に到達、すなわち全ての鳥が産卵した。反対に、商業比較の照明システムは、第２０週に３．７８％の産卵が始まり、第２１週に２５．４４％、第２６週に９６．２７％の産卵があった。表４に示され、図２２に例示されるように、第１８週〜第３６週に、本出願の照明下で育成された鳥の産卵率は、商業照明システム下で成長または生活した鳥と比べて、増加した。
【表４】
2020120669.tif 000007
【０１３３】
実施例４−平均産卵−照明オプション４
[0133]表５は、照明オプション４を用いた本出願のシステム及び方法における鳥の総数に対する平均産卵率と、従来の商業照明を用いた従来の生産施設における鳥の総数に対する平均産卵率との比較を示す。
【０１３４】
[0134]表５に示され、図２３に例示されるように、比較は、１８週齢の鳥（ニワトリ）を用いて開始された。本出願のシステムの照明下で育成された鳥は、第１８週に産卵を開始し、第２０週に２５．００％、第２１週に４２．８６％の鳥が産卵し、第２４週についに９６．４３％の生産に到達、すなわち全ての鳥が産卵した。反対に、商業比較の照明システムは、第２０週に３．７８％の産卵が始まり、第２１週に２５．４４％、第２６週に９６．２７％の産卵があった。表５に示されるように、第１８週〜第３６週に、本出願の照明下で育成された鳥の産卵率は、商業照明システム下で成長または生活した鳥と比べて、増加した。
【表５】
2020120669.tif 000008
【０１３５】
実施例５−平均産卵−照明オプション５
[0135]表６は、照明オプション５を用いた本出願のシステム及び方法における鳥の総数に対する平均産卵率と、従来の商業照明を用いた従来の生産施設における鳥の総数に対する平均産卵率との比較を示す。
【０１３６】
[0136]表６に示され、図２４に例示されるように、比較は、１８週齢の鳥（ニワトリ）を用いて開始された。本出願のシステムの照明下で育成された鳥は、第１８週に産卵を開始し、第２０週に３７．５０％、第２１週に６６．０７％の鳥が産卵し、第２４週についに１００％の生産に到達、すなわち全ての鳥が産卵した。反対に、商業比較の照明システムは、第２０週に３．７８％の産卵が始まり、第２１週に２５．４４％、第２６週に９６．２７％の産卵があった。表６に示されるように、第１８週〜第３６週に、本出願の照明下で育成された鳥の産卵率は、商業照明システム下で成長または生活した鳥と比べて、増加した。
【表６】
2020120669.tif 000009
【０１３７】
実施例６−平均産卵−照明オプション６
[0137]表７は、照明オプション６を用いた本出願のシステム及び方法における鳥の総数に対する平均産卵率と、従来の商業照明を用いた従来の生産施設における鳥の総数に対する平均産卵率との比較を示す。
【０１３８】
[0138]表７に示され、図２５に例示されるように、比較は、１８週齢の鳥（ニワトリ）を用いて開始された。本出願のシステムの照明下で育成された鳥は、第１９週に産卵を開始し、第２０週に４４．６４％、第２１週に６６．０７％の鳥が産卵し、第２３週についに１０５．３６％の生産に到達、すなわち全ての鳥が産卵した。反対に、商業比較の照明システムは、第２０週に３．７８％の産卵が始まり、第２１週に２５．４４％、第２６週に９６．２７％の産卵があった。表７に示されるように、第１８週〜第３６週に、本出願の照明下で育成された鳥の産卵率は、商業照明システム下で成長または生活した鳥と比べて、増加した。
【表７】
2020120669.tif 000010
【０１３９】
実施例７−平均産卵−標準照明及び時間との比較
[0139]実施例７は、平均産卵率の比較研究を提示する。２０１６年の夏にＣｏｌｏｒａｄｏ州Ｇｒｅｅｌｅｙにて、３つの照明システムを用いて研究が行われ、３つの照明には、標準商業昼／夜周期（第１７週に１５時間の照明オン状態で始まり、毎週１５分増加する）の本開示の照明方法の照明オプション４（表１に図示）と、標準商業昼／夜周期の標準蛍光灯による制御と、本開示の照明方法を用いた照明オプション４とが含まれる。
【０１４０】
[0140]卵は、若雌鶏から飼育された白色レグホン種の様々な品種を用いて、Ｕｎｉｔｅｄ  Ｅｇｇ  Ｐｒｏｄｕｃｅｒｓ  Ａｎｉｍａｌ  Ｈｕｓｂａｎｄｒｙ  Ｇｕｉｄｅｌｉｎｅｓに従って生産された。鳥は、ケージごとに１羽、テントごとに８羽の状態で、遮光育成テント内のケージに収容された。鳥には、主にトウモロコシ、大豆ミール、石灰石、ビタミン、及びミネラルから成る全天然の１００％菜食が与えられ、食事、給餌及び給水回数は、商業比較対象の鳥に合わせられた。
【０１４１】
[0141]下記の表８（及び図２６）に示されるように、制御を伴う比較対象の鳥は第１７週から少量の卵（５．３６％）を産卵し始めるが、照明オプション４（２４時間（列４））下で育成された鳥は第１９週には、制御（列３）及び平均（列５、２０１６年１月のＨｙ‐Ｌｉｎｅ  Ｉｎｔｅｒｎａｔｉｏｎａｌ出版のＷ‐３６  Ｃｏｍｍｅｒｉｃａｌ  Ｌａｙｅｒｓ、Ｍａｎａｇｅｍｅｎｔ  Ｇｕｉｄｅ参照）の両方の標準生産レベルを速やかに上回った。２４時間周期の照明オプション４下で育成された鳥、及び商業標準昼／夜タイミングの照明オプション４下で育成された鳥の両者は、第２２週には、制御及び商業平均を上回る生産増加を示し、２４時間周期の照明オプション４下で育成された鳥は９８．２１％で産卵し、商業標準昼／夜タイミングの照明オプション４下で育成された鳥は９１．０７％で産卵し、一方制御下で育成された鳥は７８．５７％で産卵し、商業平均は８５．００％であった。
【表８】
2020120669.tif 000011
【０１４２】
平均卵重量の増加
[0142]２０１６年の冬及び春にＣｏｌｏｒａｄｏ州Ｇｒｅｅｌｅｙにて、本開示の照明システム及び方法を使用して、６つの家禽卵重量研究が実施され、標準的な市販の照明下で飼育された白色レグホン種の標準的な商業鶏卵重量と比較された（２０１６年１月のＨｙ‐Ｌｉｎｅ  Ｉｎｔｅｒｎａｔｉｏｎａｌ参照）。
【０１４３】
[0143]本開示のシステム及び方法の照明下で飼育された鳥は、若雌鶏から飼育された白色レグホン種の様々な品種を用いて、Ｕｎｉｔｅｄ  Ｅｇｇ  Ｐｒｏｄｕｃｅｒｓ  Ａｎｉｍａｌ  Ｈｕｓｂａｎｄｒｙ  Ｇｕｉｄｅｌｉｎｅｓに従って飼育された。鳥は、ケージごとに１羽、テントごとに８羽の状態で、遮光育成テント内のケージに収容された。鳥には、主にトウモロコシ、大豆ミール、石灰石、ビタミン、及びミネラルから成る全天然の１００％菜食が与えられ、食事、給餌及び給水回数は、商業比較対象の鳥に合わせられた。卵の重量は、毎日午前９時に、デジタル秤を用いて取り込まれ、測定された。
【０１４４】
実施例８−平均卵重量−照明オプション１
[0144]表９は、照明オプション１（表１）を用いた本出願のシステム及び方法における平均鳥体重と、商業平均鳥体重との比較を示す。
【０１４５】
[0145]表９に示され、図２７に例示されるように、平均卵重量比較は１８週齢の鳥（ニワトリ）を用いて開始され、本出願のシステムの照明下で飼育された鳥は、第１９週に平均重量１．４９５ｏｚ．の産卵を開始し、第２０週に平均卵重量は１．８０３ｏｚ．となり、第２５週に平均卵重量は２．００ｏｚ．に達し、第２９週に２．１０ｏｚ．に、第３５週に２．１７ｏｚ．に増加した。反対に、商業比較の照明システム下で生産された卵の平均卵重量は、第２１週に平均卵重量１．６５ｏｚ．、第２４週に１．９０ｏｚ．、第２５週に１．９９ｏｚ．、第３５週に最大の２．１３ｏｚ．となった。表８に示されるように、第１８週〜第３６週に、本出願の技術の照明下で生産された卵は、商業照明システム下で成長または生活した鳥と比べて、平均卵重量が０．０７増加した。
【表９】
2020120669.tif 000012
【０１４６】
実施例９−平均卵重量−照明オプション２
[0146]表１０は、照明オプション２（表１）を用いた本出願のシステム及び方法における平均卵重量と、従来の商業照明を用いた従来の生産施設における平均卵重量との比較を示す。
【０１４７】
[0147]表１０に示され、図２８に例示されるように、平均卵重量比較は、１８週齢の鳥（ニワトリ）を用いて開始された。本出願のシステムの照明下で飼育された鳥は、第１９週に平均重量１．５２ｏｚ．の産卵を開始し、第２０週に平均卵重量は１．６５ｏｚ．となり、第２５週に平均卵重量は１．８６ｏｚ．に達し、第２９週に１．９５ｏｚ．に、第３５週に２．０３ｏｚ．に増加した。反対に、商業比較の照明システム下で生産された卵の平均卵重量は、第２１週に平均卵重量１．６５ｏｚ．、第２４週に１．９０ｏｚ．、第２５週に１．９９ｏｚ．、第３５週に最大の２．１３ｏｚ．となった。
【表１０】
2020120669.tif 000013
【０１４８】
実施例１０−平均卵重量−照明オプション３
[0148]表１１は、照明オプション３（表１）を用いた本出願のシステム及び方法における平均卵重量と、従来の商業照明を用いた従来の生産施設における平均卵重量との比較を示す。
【０１４９】
[0149]表１１に示され、図２９に例示されるように、平均卵重量比較は、１８週齢の鳥（ニワトリ）を用いて開始された。本出願のシステムの照明下で飼育された鳥は、第１９週に平均重量１．５４ｏｚ．の産卵を開始し、第２０週に平均卵重量は１．７０ｏｚ．となり、第２８週に平均卵重量は２．００ｏｚ．に達し、第３２週に２．０４ｏｚ．に、第３５週に２．１１ｏｚ．に増加した。反対に、商業比較の照明システム下で生産された卵の平均卵重量は、第２１週に平均卵重量１．６５ｏｚ．、第２４週に１．９０ｏｚ．、第２５週に１．９９ｏｚ．、第３５週に最大の２．１３ｏｚ．となった。
【表１１】
2020120669.tif 000014
【０１５０】
実施例１１−平均卵重量−照明オプション４
[0150]表１２は、照明オプション４（表１）を用いた本出願のシステム及び方法における平均卵重量と、従来の商業照明を用いた従来の生産施設における平均卵重量との比較を示す。
【０１５１】
[0151]表１２に示され、図３０に例示されるように、平均卵重量比較は、１８週齢の鳥（ニワトリ）を用いて開始された。本出願のシステムの照明下で飼育された鳥は、第１９週に平均重量１．６１ｏｚ．の産卵を開始し、第２０週に平均卵重量は１．６１ｏｚ．となり、第３２週に平均卵重量は２．０２ｏｚ．に達し、第３４週に２．０６ｏｚ．に増加した。反対に、商業比較の照明システム下で生産された卵の平均卵重量は、第２１週に平均卵重量１．６５ｏｚ．、第２４週に１．９０ｏｚ．、第２５週に１．９９ｏｚ．、第３５週に最大の２．１３ｏｚ．となった。
【表１２】
2020120669.tif 000015
【０１５２】
実施例１２−平均卵重量−照明オプション５
[0152]表１３は、照明オプション５（表１）を用いた本出願のシステム及び方法における平均卵重量と、従来の商業照明を用いた従来の生産施設における平均卵重量との比較を示す。
【０１５３】
[0153]表１３に示され、図３１に例示されるように、平均卵重量比較は、１８週齢の鳥（ニワトリ）を用いて開始された。本出願のシステムの照明下で飼育された鳥は、第１９週に平均重量１．５９４ｏｚ．の産卵を開始し、第２０週に平均卵重量は１．６９２ｏｚ．となり、第２９週に平均卵重量は２．００ｏｚ．に達し、第３３週に２．０８ｏｚ．に増加した。反対に、商業比較の照明システム下で生産された卵の平均卵重量は、第２１週に平均卵重量１．６５ｏｚ．、第２４週に１．９０ｏｚ．、第２５週に１．９９ｏｚ．、第３５週に最大の２．１３ｏｚ．となった。表８に示されるように、第１８週〜第３６週に、本出願の技術の照明下で生産された卵は、商業照明システム下で成長または生活した鳥と比べて、平均卵重量が０．０７増加した。
【表１３】
2020120669.tif 000016
【０１５４】
実施例１３−平均卵重量−照明オプション６
[0154]表１３は、照明オプション６（表１）を用いた本出願のシステム及び方法における平均卵重量と、従来の商業照明を用いた従来の生産施設における平均卵重量との比較を示す。
【０１５５】
[0155]表１４に示され、図３２に例示されるように、平均卵重量比較は、１８週齢の鳥（ニワトリ）を用いて開始された。本出願のシステムの照明下で飼育された鳥は、第１９週に平均重量１．６３４ｏｚ．の産卵を開始し、第２０週に平均卵重量は１．７２８ｏｚ．となり、第２５週に平均卵重量は２．００ｏｚ．に達し、第３３週に２．１０ｏｚ．に増加し、第３６週には２．１７ｏｚ．まで増加し続けた。反対に、商業比較の照明システム下で生産された卵の平均卵重量は、第２１週に平均卵重量１．６５ｏｚ．、第２４週に１．９０ｏｚ．、第２５週に１．９９ｏｚ．、第３５週に最大の２．１３ｏｚ．となった。表８に示されるように、第１８週〜第３６週に、本出願の技術の照明下で生産された卵は、商業照明システム下で成長または生活した鳥と比べて、平均卵重量が０．０７増加した。
【表１４】
2020120669.tif 000017
【０１５６】
実施例１４−平均卵重量−標準照明及び時間との比較
[0156]実施例１４は、平均卵重量の比較研究を提示する。２０１６年の夏にＣｏｌｏｒａｄｏ州Ｇｒｅｅｌｅｙにて、３つの照明システムを用いて研究が行われ、３つの照明には、標準商業昼／夜周期（第１７週に１５時間の照明オン状態で始まり、毎週１５分増加する）の本開示の照明方法の照明オプション４（表１に図示）と、標準商業昼／夜周期の標準蛍光灯による制御と、本開示の照明方法を用いた照明オプション４とが含まれる。
【０１５７】
[0157]卵は、若雌鶏から飼育された白色レグホン種の様々な品種を用いて、Ｕｎｉｔｅｄ  Ｅｇｇ  Ｐｒｏｄｕｃｅｒｓ  Ａｎｉｍａｌ  Ｈｕｓｂａｎｄｒｙ  Ｇｕｉｄｅｌｉｎｅｓに従って生産された。鳥は、ケージごとに１羽、テントごとに８羽の状態で、遮光育成テント内のケージに収容された。鳥には、主にトウモロコシ、大豆ミール、石灰石、ビタミン、及びミネラルから成る全天然の１００％菜食が与えられ、食事、給餌及び給水回数は、商業比較対象の鳥に合わせられた。
【０１５８】
[0158]下記の表１５（及び図３３）に示されるように、制御を伴う比較対象の鳥は第１７週から小さい卵（１．１２ｏｚ）（ＵＳＤＡのサイズ分類により“ＰｅｅＷｅｅ”に分類、Ｕｎｉｔｅｄ  Ｓｔａｔｅｓ  Ｓｔａｎｄａｒｄｓ  Ｇｒａｄｅｓ、及びＷｅｉｇｈｔ  Ｃｌａｓｓｅｓ  ｆｏｒ  Ｓｈｅｌｌ  Ｅｇｇｓ、ＡＭＳ５６、２０００年７月２０日を参照）を産卵し始めるが、“ＰｅｅＷｅｅ”卵は商業的には成立しない。しかしながら、照明オプション４（２４時間（列４））下で育成された鳥は、第２１週には商業的に採算の取れる「中位」サイズである卵あたり１．８２ｏｚに速やかに到達し、第２２週には卵あたり１．８７ｏｚにまで重量が増加した。標準商業昼夜タイミングを用いた照明オプション４はまた、第２２週には「中位」重量である卵あたり１．７６ｏｚに達した。制御グループは、第２２週には卵あたり１．７５ｏｚの重量に達し、平均商業卵重量を示す列５に示される商業平均は、第２１週には「中位」に達した。
【表１５】
2020120669.tif 000018
【０１５９】
平均鳥体重の増加
[0159]２０１６年の冬及び春にＣｏｌｏｒａｄｏ州Ｇｒｅｅｌｅｙにて、本開示の照明システム及び方法を使用して、ニワトリの経時的体重増加に関する６つの研究が実施され、同じ期間にわたり標準的な市販の照明下で飼育された白色レグホン種の標準的な商業ニワトリ体重と比較された（２０１６年１月のＨｙ‐Ｌｉｎｅ  Ｉｎｔｅｒｎａｔｉｏｎａｌ参照）。
【０１６０】
[0160]本開示のシステム及び方法の照明下で飼育された鳥は、若雌鶏から飼育された白色レグホン種の様々な品種を用いて、Ｕｎｉｔｅｄ  Ｅｇｇ  Ｐｒｏｄｕｃｅｒｓ  Ａｎｉｍａｌ  Ｈｕｓｂａｎｄｒｙ  Ｇｕｉｄｅｌｉｎｅｓに従って飼育された。鳥は、ケージごとに１羽、テントごとに８羽の状態で、遮光育成テント内のケージに収容された。鳥には、主にトウモロコシ、大豆ミール、石灰石、ビタミン、及びミネラルから成る全天然の１００％菜食が与えられ、食事、給餌及び給水回数は、商業比較対象の鳥に合わせられた。鳥の体重は、毎週火曜の朝９時に、吊り秤を用いて取り込まれ、測定された。
【０１６１】
実施例１５−平均鳥体重−照明オプション１
[0161]表１６は、照明オプション１（表１に図示）を用いた本出願のシステム及び方法下で収容及び育成された鳥の２０週〜３１週の平均鳥（ニワトリ）体重と、従来の商業照明を用いた従来の生産施設における鳥の総数に関する平均鳥体重（ニワトリ）との比較を示す。
【０１６２】
[0162]本出願のシステムに、若雌鶏から飼育された白色レグホン種の様々な品種が使用された。鳥には、主にトウモロコシ、大豆ミール、石灰石、ビタミン、及びミネラルから成る全天然の１００％菜食が与えられ、食事、給餌及び給水回数は、標準的商業慣習に合わせられた。ホルモンや興奮剤は、全く使用されなかった。
【０１６３】
[0163]表１６に示され、図３４に例示されるように、比較は本出願のシステムの照明下で飼育された２０週齢の鳥を用いて開始され、２０週に平均体重１４４０ｇで始まり、一方品種標準体重は２０週に１３８０ｇであった。２２週に、本出願のシステムの平均鳥体重は１５０５ｇであり、一方品種標準体重は１４６０ｇであった。２５週に、品種標準体重は１４９０ｇであったのに比べて、本出願のシステム下で飼育された鳥の平均鳥体重は１５２０ｇであった。３１週に、品種標準体重は１５２０ｇであったのに比べて、本出願のシステム下で飼育された鳥の平均鳥体重は１５３７．５ｇであった。２６週に鳥収容施設に停電が起きたため、その週の鳥の測定は実施不可能となり、ストレスにより２７週に体重が落ちたことに留意されたい。表１４に示されるように、本出願の照明下で飼育された鳥は、商業照明システム下で成長または生活した鳥と比較して、週あたり１２ｇの平均鳥体重増加がみられた。
【表１６】
2020120669.tif 000019
【０１６４】
実施例１６−平均鳥体重−照明オプション２
[0164]表１７は、照明オプション２（表１に図示）を用いた本出願のシステム及び方法下で収容及び飼育された鳥の２０週〜３１週の平均鳥（ニワトリ）体重と、従来の商業照明を用いた従来の生産施設における鳥の総数に関する平均鳥体重（ニワトリ）との比較を示す。
【０１６５】
[0165]本出願のシステムに、若雌鶏から飼育された白色レグホン種の様々な品種が使用された。鳥には、主にトウモロコシ、大豆ミール、石灰石、ビタミン、及びミネラルから成る全天然の１００％菜食が与えられ、食事、給餌及び給水回数は、標準的商業慣習に合わせられた。ホルモンや興奮剤は、全く使用されなかった。
【０１６６】
[0166]表１７に示され、図３５に例示されるように、比較は本出願のシステムの照明下で飼育された２０週齢の鳥を用いて開始され、２０週に平均体重１４０７．５ｇで始まり、一方品種標準体重は２０週に１３８０ｇであった。２２週に、本出願のシステムの平均鳥体重は１４４０ｇであり、一方品種標準体重は１４６０ｇであった。２５週に、品種標準体重は１４９０ｇであったのに比べて、本出願のシステム下で飼育された鳥の平均鳥体重は１４６０ｇであった。３１週に、品種標準体重は１５２０ｇであったのに比べて、本出願のシステム下で飼育された鳥の平均鳥体重は１５１５．０ｇであった。２６週に鳥収容施設に停電が起きたため、その週の鳥の測定は実施不可能となり、ストレスにより２７週に体重が落ちたことに留意されたい。
【表１７】
2020120669.tif 000020
【０１６７】
実施例１７−平均鳥体重−照明オプション３
[0167]表１８は、照明オプション３（表１に図示）を用いた本出願のシステム及び方法下で収容及び飼育された鳥の２０週〜３１週の平均鳥（ニワトリ）体重と、従来の商業照明を用いた従来の生産施設における鳥の総数に関する平均鳥体重（ニワトリ）との比較を示す。
【０１６８】
[0168]本出願のシステムに、若雌鶏から飼育された白色レグホン種の様々な品種が使用された。鳥には、主にトウモロコシ、大豆ミール、石灰石、ビタミン、及びミネラルから成る全天然の１００％菜食が与えられ、食事、給餌及び給水回数は、標準的商業慣習に合わせられた。ホルモンや興奮剤は、全く使用されなかった。
【０１６９】
[0169]表１８に示され、図３６に例示されるように、比較は本出願のシステムの照明下で飼育された２０週齢の鳥を用いて開始され、２０週に平均体重１４４５ｇで始まり、一方品種標準体重は２０週に１３８０ｇであった。２２週に、本出願のシステムの平均鳥体重は１４７０ｇであり、一方品種標準体重は１４６０ｇであった。２５週に、品種標準体重は１４９０ｇであったのに比べて、本出願のシステム下で飼育された鳥の平均鳥体重は１４７０ｇであった。３１週に、品種標準体重は１５２０ｇであったのに比べて、本出願のシステム下で飼育された鳥の平均鳥体重は１５２０ｇであった。２６週に鳥収容施設に停電が起きたため、その週の鳥の測定は実施不可能となり、ストレスにより２７週に体重が落ちたことに留意されたい。表１６に示されるように、本出願の照明下で飼育された鳥は、商業照明システム下で成長または生活した鳥と比較して、週あたり３．２ｇの平均鳥体重増加がみられた。
【表１８】
2020120669.tif 000021
【０１７０】
実施例１８−平均鳥体重−照明オプション４
[0170]表１９は、照明オプション４（表１に図示）を用いた本出願のシステム及び方法下で収容及び飼育された鳥の２０週〜３１週の平均鳥（ニワトリ）体重と、従来の商業照明を用いた従来の生産施設における鳥の総数に関する平均鳥体重（ニワトリ）との比較を示す。
【０１７１】
[0171]本出願のシステムに、若雌鶏から飼育された白色レグホン種の様々な品種が使用された。鳥には、主にトウモロコシ、大豆ミール、石灰石、ビタミン、及びミネラルから成る全天然の１００％菜食が与えられ、食事、給餌及び給水回数は、標準的商業慣習に合わせられた。ホルモンや興奮剤は、全く使用されなかった。
【０１７２】
[0172]表１９に示され、図３７に例示されるように、比較は本出願のシステムの照明下で飼育された２０週齢の鳥を用いて開始され、２０週に平均体重１４４５ｇで始まり、一方品種標準体重は２０週に１３８０ｇであった。２２週に、本出願のシステムの平均鳥体重は１４７０ｇであり、一方品種標準体重は１４６０ｇであった。２５週に、品種標準体重は１４９０ｇであったのに比べて、本出願のシステム下で飼育された鳥の平均鳥体重は１４７０ｇであった。３１週に、品種標準体重は１５２０ｇであったのに比べて、本出願のシステム下で飼育された鳥の平均鳥体重は１５２０ｇであった。２６週に鳥収容施設に停電が起きたため、その週の鳥の測定は実施不可能となり、ストレスにより２７週に体重が落ちたことに留意されたい。表１７に示されるように、本出願の照明下で飼育された鳥は、商業照明システム下で成長または生活した鳥と比較して、週あたり６６．１ｇの平均鳥体重増加がみられた。
【表１９】
2020120669.tif 000022
【０１７３】
実施例１９−平均鳥体重−照明オプション５
[0173]表２０は、照明オプション５（表１に図示）を用いた本出願のシステム及び方法下で収容及び飼育された鳥の２０週〜３１週の平均鳥（ニワトリ）体重と、従来の商業照明を用いた従来の生産施設における鳥の総数に関する平均鳥体重（ニワトリ）との比較を示す。
【０１７４】
[0174]本出願のシステムに、若雌鶏から飼育された白色レグホン種の様々な品種が使用された。鳥には、主にトウモロコシ、大豆ミール、石灰石、ビタミン、及びミネラルから成る全天然の１００％菜食が与えられ、食事、給餌及び給水回数は、標準的商業慣習に合わせられた。ホルモンや興奮剤は、全く使用されなかった。
【０１７５】
[0175]表２０に示され、図３８に例示されるように、比較は本出願のシステムの照明下で飼育された２０週齢の鳥を用いて開始され、２０週に平均体重１４７５ｇで始まり、一方品種標準体重は２０週に１３８０ｇであった。２２週に、本出願のシステムの平均鳥体重は１４８５ｇであり、一方品種標準体重は１４６０ｇであった。２５週に、品種標準体重は１４９０ｇであったのに比べて、本出願のシステム下で飼育された鳥の平均鳥体重は１５０５ｇであった。３１週に、品種標準体重は１５２０ｇであったのに比べて、本出願のシステム下で飼育された鳥の平均鳥体重は１５４７．５ｇであった。２６週に鳥収容施設に停電が起きたため、その週の鳥の測定は実施不可能となり、ストレスにより２７週に体重が落ちたことに留意されたい。表１８に示されるように、本出願の照明下で飼育された鳥は、商業照明システム下で成長または生活した鳥と比較して、週あたり２１．５ｇの平均鳥体重増加がみられた。
【表２０】
2020120669.tif 000023
【０１７６】
実施例２０−平均鳥体重−照明オプション６
[0176]表２１は、照明オプション６（表１に図示）を用いた本出願のシステム及び方法下で収容及び飼育された鳥の２０週〜３１週の平均鳥（ニワトリ）体重と、従来の商業照明を用いた従来の生産施設における鳥の総数に関する平均鳥体重（ニワトリ）との比較を示す。
【０１７７】
[0177]本出願のシステムに、若雌鶏から飼育された白色レグホン種の様々な品種が使用された。鳥には、主にトウモロコシ、大豆ミール、石灰石、ビタミン、及びミネラルから成る全天然の１００％菜食が与えられ、食事、給餌及び給水回数は、標準的商業慣習に合わせられた。ホルモンや興奮剤は、全く使用されなかった。
【０１７８】
[0178]表２１に示され、図３９に例示されるように、比較は本出願のシステムの照明下で飼育された２０週齢の鳥を用いて開始され、２０週に平均体重１４３５ｇで始まり、一方品種標準体重は２０週に１３８０ｇであった。２２週に、本出願のシステムの平均鳥体重は１４６０ｇであり、一方品種標準体重は１４６０ｇであった。２５週に、品種標準体重は１４９０ｇであったのに比べて、本出願のシステム下で飼育された鳥の平均鳥体重は１４７５ｇであった。３１週に、品種標準体重は１５２０ｇであったのに比べて、本出願のシステム下で飼育された鳥の平均鳥体重は１５８７．５ｇであった。２６週に鳥収容施設に停電が起きたため、その週の鳥の測定は実施不可能となり、ストレスにより２７週に体重が落ちたことに留意されたい。表１９に示されるように、本出願の照明下で育成された鳥は、商業照明システム下で成長または生活した鳥と比較して、週あたり１３．１６ｇの平均鳥体重の平均増加がみられた。
【表２１】
2020120669.tif 000024
【０１７９】
実施例２１−平均鳥体重−標準照明及び時間との比較
[0179]実施例２１は、グラム単位の平均鳥体重の比較研究を提示する。２０１６年の夏にＣｏｌｏｒａｄｏ州Ｇｒｅｅｌｅｙにて、３つの照明システムを用いて研究が行われ、３つの照明には、標準商業昼／夜周期（第１７週に１５時間の照明オン状態で始まり、毎週１５分増加する）の本開示の照明方法の照明オプション４（表１に図示）と、標準商業昼／夜周期の標準蛍光灯による制御と、本開示の照明方法を用いた照明オプション４及びオプション５とが含まれる。
【０１８０】
[0180]本明細書において説明される本出願のシステムの下で生産された鳥は、若雌鶏から飼育された白色レグホン種の様々な品種を用いて、Ｕｎｉｔｅｄ  Ｅｇｇ  Ｐｒｏｄｕｃｅｒｓ  Ａｎｉｍａｌ  Ｈｕｓｂａｎｄｒｙ  Ｇｕｉｄｅｌｉｎｅｓに従って生産された。鳥は、ケージごとに１羽、テントごとに８羽の状態で、遮光育成テント内のケージに収容された。鳥には、主にトウモロコシ、大豆ミール、石灰石、ビタミン、及びミネラルから成る全天然の１００％菜食が与えられ、食事、給餌及び給水回数は、商業比較対象の鳥に合わせられた。
【０１８１】
[0181]２４時間周期の照明オプション４下で飼育された鳥は、第１３週〜第１６週に照明オプション４下で飼育され、その後に照明オプション５に切り替えられる。
【０１８２】
[0182]標準商業昼／夜周期の照明オプション４下で飼育された鳥は、第１３週〜第１６週に照明オプション５下で飼育され、その後に照明オプション６に切り替えられる。
【０１８３】
[0183]下記の表２３（及び図４０）に示されるように、２４時間周期の照明オプション４下で育成された比較対象の鳥は、第１６週に一度照明がオプション５に変更されると、制御照明下で飼育された鳥よりも、一貫して重くなった。これは、標準昼／夜周期の照明オプション４下で飼育された鳥にも、第１６週に一度その照明がオプション６に変更されると、当てはまった。
【表２２】
2020120669.tif 000025
【０１８４】
実施例２２−雌鳥における早期性的成熟
[0184]本開示のシステム（例えば照明オプション４）下で育成された鳥の視覚的研究は、標準的な商業照明下で育成された鳥の性的成熟時と比べて、鳥の早期性的成熟を示した。視覚的観察により、本開示の照明下で育成された鳥において、雌鳥の頂部に位置するとさかが、より大きなサイズでより対称的になることが示された。
【０１８５】
[0185]本発明の前述の説明は、例示及び説明のために提示されたものである。これは、包括的である、または発明を開示された的確な形態に限定する意図はなく、上記の教示に照らして他の変更及び変形も可能であり得る。実施形態は、本発明の原理及びその実際的応用を最も良く説明し、それにより他の当業者が、意図する特定の用途に適した様々な実施形態及び様々な変更において、本発明を最良に利用できるように、選ばれ記載された。添付の特許請求の範囲は、従来技術により制限される場合を除いて、本発明の他の代替的実施形態を含むと解釈されることが意図される。
［発明の項目］
［項目１］
鳥において所望の反応を誘発するシステムであって、
少なくとも１つの光子放出器と、
前記少なくとも１つの光子放出器と通信する少なくとも１つの光子放出変調コントローラと
を備え、
前記少なくとも１つの光子放出器は前記鳥に対する光子信号を生成するように構成され、前記光子信号は２つ以上の独立成分を含み、前記２つ以上の独立成分には第１独立成分と第２独立成分とが含まれ、
前記第１独立成分は、繰返し第１変調光子パルス群を含み、前記第１変調光子パルス群は、１つ以上の強度による０．０１マイクロ秒〜５０００ミリ秒の１つ以上の光子パルスオン継続時間を有し、０．１マイクロ秒〜２４時間の１つ以上の光子パルスオフ継続時間、及び波長色を有し、
前記第２独立成分は、繰返し第２変調光子パルス群を含み、前記第２変調光子パルス群は、１つ以上の強度による０．０１マイクロ秒〜５０００ミリ秒の１つ以上の光子パルスオン継続時間を有し、０．１マイクロ秒〜２４時間の１つ以上の第２光子パルスオフ継続時間、及び波長色を有し、
前記第１独立成分及び前記第２独立成分は、同時に前記信号内に生成され、
前記第２変調光子パルス群は、前記第１変調光子パルス群と異なり、
前記少なくとも１つの光子放出器から前記鳥に対し前記信号を発し、前記信号の前記第１変調光子パルス群及び前記第２変調光子パルス群の併用効果により、前記鳥から所望の反応が生じる、
前記システム。
［項目２］
繰返し第３以上の変調光子パルス群を含む第３以上の独立成分をさらに含み、
前記第３以上の変調光子パルス群は、１つ以上の強度による０．０１マイクロ秒〜５０００ミリ秒の１つ以上の光子パルスオン継続時間を有し、０．１マイクロ秒〜２４時間の１つ以上の光子パルスオフ継続時間、及び波長色を有し、
前記第３以上の独立成分、前記第１独立成分、及び前記第２独立成分は、同時に前記信号内に生成され、
前記繰返し第３以上の変調光子パルス群は、前記第２変調光子パルス群及び前記第１変調光子パルス群と異なり、
前記少なくとも１つの光子放出器から前記鳥に対し前記信号を発し、前記信号の前記繰返し第３以上の変調光子パルス群、前記第１変調光子パルス群、及び前記第２変調光子パルス群の併用効果により、前記鳥から所望の反応が生じる、
項目１に記載のシステム。
［項目３］
前記少なくとも１つの光子放出変調コントローラと通信するマスタ論理コントローラをさらに備え、
前記マスタ論理コントローラは、前記少なくとも１つの光子放出器からの前記第１独立成分及び前記第２独立成分の前記変調パルス群を制御する前記少なくとも１つの光子放出変調コントローラに対し、コマンドを送信する、
項目１に記載のシステム。
［項目４］
前記少なくとも２つの光子放出デバイスは、白熱光（タングステンハロゲン及びキセノン）、蛍光（ＣＦＬ）、高輝度放電（金属ハライド、高圧ナトリウム、低圧ナトリウム、水銀蒸気）、太陽光、及び発光ダイオードの群から選択される、項目３に記載のシステム。
［項目５］
前記マスタ論理コントローラは、前記少なくとも２つの光子放出デバイスの電力使用量を監視する電力消費センサと通信し、前記電力消費センサは、前記マスタ論理コントローラの外部に存在するホストと通信する、項目３に記載のシステム。
［項目６］
前記少なくとも１つの光子放出変調コントローラは、ソリッドステートリレー、金属酸化物半導体型電界効果トランジスタ、電界効果トランジスタ、ツェナーダイオード、光チョッパ、及び光子パルスの変調を誘発するデバイスを含む群から選択される、項目１に記載のシステム。
［項目７］
前記第１変調光子パルスの前記第１波長帯の前記第１波長色は、近赤、遠赤、青、赤外、黄、橙、及び紫外色を含む群から選択される、項目１に記載のシステム。
［項目８］
前記第２変調光子パルスの前記第２波長帯の前記第２波長色は、近赤、遠赤、青、赤外、黄、橙、及び紫外色を含む群から選択される、項目１に記載のシステム。
［項目９］
前記第１変調光子パルス群の前記第１波長色は、０．１ｎｍ〜１ｃｍの波長を有する、項目１に記載のシステム。
［項目１０］
前記第２変調光子パルス群の前記第２波長色は、０．１ｎｍ〜１ｃｍの波長を有する、項目１に記載のシステム。
［項目１１］
前記第１変調光子パルス群の１つ以上の強度による前記第１オン継続時間、前記第１オフ継続時間、及び前記第１波長色は、前記第２変調光子パルス群の１つ以上の第２強度による前記第２オン継続時間、前記第２オフ継続時間、及び前記第２波長色と同じである、項目１に記載のシステム。
［項目１２］
少なくとも１つのセンサをさらに備える前記システムであって、
前記少なくとも１つのセンサは、前記鳥に関連する少なくとも１つの状態を監視することが可能であり、前記鳥に関連する前記少なくとも１つの状態は、前記鳥に関連する環境状態、または前記鳥に関連する生理的状態であり、
前記少なくとも１つのセンサは、第１通信デバイスと操作可能に連結され、前記第１通信デバイスは、前記少なくとも１つのセンサから前記マスタ論理コントローラへデータを送信する、
項目４に記載のシステム。
［項目１３］
前記マスタ論理コントローラは、前記少なくとも１つのセンサからの前記データに基づいて、前記第１変調光子パルス群の１つ以上の強度による前記第１オン継続時間、前記第１オフ継続時間、及び前記第１波長色が、前記第２変調光子パルス群の１つ以上の第２強度による前記第２オン継続時間、前記第２オフ継続時間、及び前記第２波長色と同じになるように調整する、項目１２に記載のシステム。
［項目１４］
灌水源と通信する前記マスタ論理コントローラをさらに備えるシステムであって、
前記灌水源は、前記鳥に対し灌水イベントを提供する、
項目１３に記載の前記システム。
［項目１５］
前記マスタ論理コントローラは、前記少なくとも１つのセンサからの前記データに基づいて、前記鳥に対する灌水イベントのタイミングを調整することが可能である、項目１３に記載のシステム。
［項目１６］
前記マスタ論理コントローラは、前記少なくとも１つのセンサからの前記データに基づいて、前記鳥に対する灌水イベントの継続時間を調整することが可能である、項目１５に記載のシステム。
［項目１７］
栄養供給源と通信する前記マスタ論理コントローラをさらに備えるシステムであって、
前記栄養供給源は、前記鳥に対し栄養供給イベントを提供することが可能である、
項目１２に記載の前記システム。
［項目１８］
前記マスタ論理コントローラは、前記少なくとも１つのセンサからの前記データに基づいて、前記鳥に対する栄養供給イベントのタイミングを調整することが可能である、項目１７に記載のシステム。
［項目１９］
前記マスタ論理コントローラは、前記少なくとも１つのセンサからの前記データに基づいて、前記鳥に対する栄養供給イベントの継続時間を調整することが可能である、項目１７に記載のシステム。
［項目２０］
前記少なくとも１つのセンサは、気温センサ、湿度センサ、鳥の体温センサ、鳥の体重センサ、音センサ、動きセンサ、赤外線センサ、Ｏ２センサ、ＣＯ２センサ、及びＣＯセンサ、ならびにこれらの組み合わせを含む群から選択される、項目１２に記載のシステム。
［項目２１］
前記鳥は、ニワトリ、アヒル、及び他の水鳥、シチメンチョウ、エミュー、ダチョウ、ウズラ、キジ、高地猟鳥、ハト、オウム、ならびに動物界及びその組織内の他の鳥類を含む群から選択される、項目１に記載のシステム。
［項目２２］
前記第１変調光子パルス群は、少なくとも５％の光量子の変化を有する、項目１に記載のシステム。
［項目２３］
前記第２変調光子パルス群は、少なくとも５％の光量子の変化を有する、項目１に記載のシステム。
［項目２４］
前記第１変調光子パルス群及び前記第２変調光子パルス群のデューティサイクルは、０．１％〜９３％に及ぶ、項目１に記載のシステム。
［項目２５］
前記第３以上の変調光子パルス群のデューティサイクルは、０．１％〜９３％に及ぶ、項目１に記載のシステム。
［項目２６］
前記鳥における前記所望の反応は、前記鳥の視床下部内のオプシンによりもたらされる反応である、項目１に記載のシステム。
［項目２７］
全ての付加的または補足的な外光は、前記鳥から遮られる、項目１に記載のシステム。
［項目２８］
前記信号の前記放出は、光子の補足的供給源である、項目１に記載のシステム。
［項目２９］
前記反応は、成育、手当て、及び屠畜から選択される非自然に活性化された反応である、項目１に記載のシステム。
［項目３０］
前記第１変調光子パルス群の１つ以上の第１強度による前記第１光子パルスオン継続時間、前記第１光子パルスオフ継続時間、及び前記第１波長帯は、前記鳥からの所望の反応に合わせて特別に調整される、項目１に記載のシステム。
［項目３１］
前記第２変調光子パルス群の１つ以上の第２強度による前記第２光子パルスオン継続時間、前記第２光子パルスオフ継続時間、及び前記第２波長帯は、前記鳥からの所望の反応に合わせて特別に調整される、項目１に記載のシステム。
［項目３２］
前記方法は、鳥において所望の反応を誘発するために使用する電力を、従来の育成システムと比べて少なくとも５０％削減する、項目１に記載のシステム。
［項目３３］
前記第１変調光子パルス群の前記１つ以上の第１光子パルスオフ継続時間はそれぞれ、異なる継続時間である、項目１に記載のシステム。
［項目３４］
前記第２変調光子パルス群の前記１つ以上の第２光子パルスオフ継続時間はそれぞれ、異なる継続時間である、項目１に記載のシステム。
［項目３５］
前記第１変調光子パルス群の前記１つ以上の第１光子パルスオン継続時間はそれぞれ、異なる継続時間である、項目１に記載のシステム。
［項目３６］
前記第２変調光子パルス群の前記１つ以上の第２光子パルスオン継続時間はそれぞれ、異なる継続時間である、項目１に記載のシステム。
［項目３７］
前記第３以上の変調光子パルス群の前記１つ以上の追加光子パルスオフ継続時間はそれぞれ異なる、項目２に記載のシステム。
［項目３８］
前記第３以上の変調光子パルス群の前記１つ以上の追加光子パルスオン継続時間はそれぞれ異なる、項目２に記載のシステム。
［項目３９］
前記少なくとも１つの光子放出変調コントローラと通信する前記マスタ論理コントローラをさらに備える前記システムであって、
前記マスタ論理コントローラは、前記第３以上の変調光子パルス群の前記成分を制御する前記少なくとも１つの光子放出変調コントローラに対し、コマンドを送信することが可能である、
項目３に記載の前記システム。
［項目４０］
前記第３以上の変調光子パルス群の前記成分は、前記鳥からの所望の反応に合わせて特別に調整される、項目２に記載のシステム。
［項目４１］
前記第３以上の変調光子パルス群の前記各追加波長色は、近赤、遠赤、青、赤外、黄、橙、緑、及び紫外色から成る群から選択される、項目２に記載のシステム。
［項目４２］
前記第３以上の変調光子パルス群の前記各追加波長色は、０．１ｎｍ〜１ｃｍの波長を有する、項目２に記載のシステム。
［項目４３］
前記第３以上の変調光子パルス群はさらに、１つ以上の追加強度を含む、項目２に記載のシステム。
［項目４４］
前記第１パルスの前記１つ以上のオン継続時間は、前記第１光子パルスの前記１つ以上のオフ継続時間と異なる、項目１に記載のシステム。
［項目４５］
前記第２パルスの前記１つ以上のオン継続時間は、前記第２光子パルスの前記１つ以上のオフ継続時間と異なる、項目１に記載のシステム。
［項目４６］
前記第３以上のパルスの前記１つ以上のオン継続時間は、前記第３以上の光子パルスの前記１つ以上のオフ継続時間と異なる、項目２に記載のシステム。
［項目４７］
前記第１光子パルスの前記継続時間、前記強度、前記波長帯、及び前記デューティサイクル、ならびに前記少なくとも１つの追加光子パルスの前記継続時間、前記強度、前記波長帯、及び前記デューティサイクルは、１を超える利得効率を誘発する、項目１に記載のシステム。
［項目４８］
鳥において所望の反応を誘発する方法であって、
少なくとも１つの光子放出器を提供することと、
前記少なくとも１つの光子放出器と通信する少なくとも１つの光子放出変調コントローラを提供することと、
前記少なくとも１つの光子放出変調コントローラから前記少なくとも１つの光子放出器へコマンドを通信することと、
光子信号を前記鳥に与えることであって、
前記光子信号は２つ以上の独立成分を含み、前記２つ以上の独立成分には第１独立成分と第２独立成分とが含まれ、
前記第１独立成分は、繰返し第１変調光子パルス群を含み、前記第１変調光子パルス群は、１つ以上の強度による０．０１マイクロ秒〜５０００ミリ秒の１つ以上の光子パルスオン継続時間を有し、０．１マイクロ秒〜２４時間の１つ以上の光子パルスオフ継続時間、及び波長色を有し、
前記第２独立成分は、繰返し第２変調光子パルス群を含み、前記第２変調光子パルス群は、１つ以上の強度による０．０１マイクロ秒〜５０００ミリ秒の１つ以上の光子パルスオン継続時間を有し、０．１マイクロ秒〜２４時間の１つ以上の第２光子パルスオフ継続時間、及び波長色を有し、
前記第１独立成分及び前記第２独立成分は、同時に前記信号内に生成され、
前記第２変調光子パルス群は、前記第１変調光子パルス群と異なる、
前記光子信号を前記鳥に与えることと、
前記少なくとも１つの光子放出器から前記鳥に対し前記信号を発することであって、
前記信号の前記第１変調光子パルス群及び前記第２変調光子パルス群の併用効果により、前記鳥から所望の反応が生じる、
前記少なくとも１つの光子放出器から前記鳥に対し前記信号を発することと
を含む前記方法。
［項目４９］
繰返し第３以上の変調光子パルス群を含む第３以上の独立成分を提供することであって、
前記第３以上の変調光子パルス群は、１つ以上の強度による０．０１マイクロ秒〜５０００ミリ秒の１つ以上の光子パルスオン継続時間を有し、０．１マイクロ秒〜２４時間の１つ以上の光子パルスオフ継続時間、及び波長色を有し、
前記第３以上の独立成分、前記第１独立成分、及び前記第２独立成分は、同時に前記信号内に生成され、
前記繰返し第３以上の変調光子パルス群は、前記第２変調光子パルス群及び前記第１変調光子パルス群と異なる、
前記繰返し第３以上の変調光子パルス群を含む前記第３以上の独立成分を提供することと、
前記少なくとも１つの光子放出器から前記鳥に対し前記信号を発することであって、
前記信号の前記繰返し第３以上の変調光子パルス群、前記第１変調光子パルス群、及び前記第２変調光子パルス群の併用効果により、前記鳥から所望の反応が生じる、
前記少なくとも１つの光子放出器から前記鳥に対し前記信号を発することと
をさらに含む、項目４８に記載の方法。
［項目５０］
前記少なくとも１つの光子放出変調コントローラと通信するマスタ論理コントローラを提供することであって、
前記マスタ論理コントローラは、前記少なくとも１つの光子放出器からの前記第１独立成分及び前記第２独立成分の前記変調パルス群を制御する前記少なくとも１つの光子放出変調コントローラに対し、コマンドを送信する、
前記少なくとも１つの光子放出変調コントローラと通信する前記マスタ論理コントローラを提供すること
をさらに含む、項目４８に記載の方法。
［項目５１］
前記少なくとも２つの光子放出器は、白熱光（タングステンハロゲン及びキセノン）、蛍光（ＣＦＬ）、高輝度放電（金属ハライド、高圧ナトリウム、低圧ナトリウム、水銀蒸気）、太陽光、及び発光ダイオードから成る群から選択される、項目４８に記載の方法。
［項目５２］
前記マスタ論理コントローラと通信する電力消費センサを提供することと、
前記少なくとも２つの光子放出器の電力使用量を監視することと、
前記電力消費センサから、前記マスタ論理コントローラの外部に存在するホストに対し、前記電力消費を通信することと
をさらに含む、項目４８に記載の方法。
［項目５３］
前記少なくとも１つの光子放出変調コントローラは、ソリッドステートリレー、金属酸化物半導体型電界効果トランジスタ、電界効果トランジスタ、ツェナーダイオード、光チョッパ、及び前記第１変調光子パルス群及び前記第２変調光子パルス群の変調を誘発するデバイスから成る群から選択される、項目４８に記載の方法。
［項目５４］
前記第１変調光子パルス群の前記第１波長色は、近赤、遠赤、青、赤外、黄、橙、緑、及び紫外色から成る群から選択される、項目４８に記載の方法。
［項目５５］
前記第２変調光子パルス群の前記第２波長色は、近赤、遠赤、青、赤外、黄、橙、緑、及び紫外色から成る群から選択される、項目４８に記載の方法。
［項目５６］
前記第１変調光子パルス群の前記第１波長色は、０．１ｎｍ〜１ｃｍの波長を有する、項目４８に記載の方法。
［項目５７］
前記第２変調光子パルス群の前記第２波長色は、０．１ｎｍ〜１ｃｍの波長を有する、項目４８に記載の方法。
［項目５８］
前記第１変調光子パルス群の１つ以上の強度による前記第１オン継続時間、前記第１オフ継続時間、及び前記第１波長色は、前記第２変調光子パルス群の１つ以上の第２強度による前記第２オン継続時間、前記第２オフ継続時間、及び前記第２波長色と同じである、項目４８に記載の方法。
［項目５９］
少なくとも１つのセンサを提供することと、
前記鳥に関連する少なくとも１つの状態を監視することであって、
前記鳥に関連する前記少なくとも１つの状態は、前記鳥に関連する環境状態、または前記鳥に関連する生理的状態である、
前記鳥に関連する前記少なくとも１つの状態を監視することと、
前記少なくとも１つのセンサから前記マスタ論理コントローラへ前記状態に関するデータを通信することと
をさらに含む、項目４８に記載の方法。
［項目６０］
前記少なくとも１つのセンサからの前記データに基づいて、前記少なくとも１つの光子放出器からの前記少なくとも１つの第１光子パルスの前記継続時間、前記強度、前記波長帯、及び前記デューティサイクル、ならびに前記少なくとも１つの追加光子パルスの前記継続時間、前記強度、前記波長帯、及び前記デューティサイクルを調整すること
をさらに含む、項目５９に記載の方法。
［項目６１］
前記マスタ論理コントローラと通信する灌水源を提供することであって、
前記灌水源は、前記鳥に対する灌水イベントを提供する、
前記マスタ論理コントローラと通信する前記灌水源を提供すること
をさらに含む項目５９に記載の方法。
［項目６２］
前記少なくとも１つのセンサからの前記データに基づいて、前記鳥に対し前記灌水源からの灌水イベントを開始すること
をさらに含む、項目６１に記載の方法。
［項目６３］
前記マスタ論理コントローラは、前記少なくとも１つのセンサからの前記データに基づいて、前記灌水イベントのタイミングを決定する、項目６２に記載の方法。
［項目６４］
前記マスタ論理コントローラは、前記少なくとも１つのセンサからの前記データに基づいて、前記灌水イベントの継続時間を決定する、項目５９に記載の方法。
［項目６５］
前記マスタ論理コントローラと通信する栄養供給源を提供することであって、
前記栄養供給源は、前記鳥に対する栄養供給イベントを提供する、
前記マスタ論理コントローラと通信する前記栄養供給源を提供すること
をさらに含む項目５９に記載の方法。
［項目６６］
前記少なくとも１つのセンサからの前記データに基づいて、前記鳥に対し前記栄養供給源からの栄養供給イベントを開始すること
をさらに含む、項目６５に記載の方法。
［項目６７］
前記マスタ論理コントローラは、前記少なくとも１つのセンサからの前記データに基づいて、前記栄養供給イベントのタイミングを決定する、項目６６に記載の方法。
［項目６８］
前記マスタ論理コントローラは、前記少なくとも１つのセンサからの前記データに基づいて、前記栄養供給イベント中に前記鳥へ送られる栄養物の量を決定する、項目６５に記載の方法。
［項目６９］
前記少なくとも１つのセンサは、茎直径センサ、果実直径センサ、温度センサ、相対速度樹液センサ、赤外線センサ、ガスセンサ、光呼吸センサ、呼吸センサ、近赤外線センサ、カメラ、ｐＨセンサ、及びこれらの組み合わせから成る群から選択される、項目５９に記載の方法。
［項目７０］
前記鳥は、ニワトリ、ウズラ、シチメンチョウ、水鳥、ダチョウ、エミュー、キジ、猟鳥、コバト、ハト、及びライチョウ、ならびにこれらの組織を含む群から選択される、項目４８に記載の方法。
［項目７１］
全ての付加的または補足的な光は、前記鳥から遮られる、項目４８に記載の方法。
［項目７２］
前記信号の前記放出は、光子の補足的供給源である、項目４８に記載の方法。
［項目７３］
前記鳥からの前記所望の反応は、光合成反応である、項目４８に記載の方法。
［項目７４］
前記鳥からの前記所望の反応は、光栄養反応である、項目４８に記載の方法。
［項目７５］
前記鳥からの前記所望の反応は、光周期反応である、項目４８に記載の方法。
［項目７６］
前記第１変調光子パルス群は、少なくとも５％の光量子の変化を有する、項目４８に記載の方法。
［項目７７］
前記第２変調光子パルス群は、少なくとも５％の光量子の変化を有する、項目４８に記載の方法。
［項目７８］
前記第１変調光子パルス群及び前記第２変調光子パルス群のデューティサイクルは、０．１％〜９３％に及ぶ、項目４８に記載の方法。
［項目７９］
前記第３以上の変調光子パルス群のデューティサイクルは、０．１％〜９３％に及ぶ、項目４９に記載の方法。
［項目８０］
前記反応は、成育、手当て、及び屠畜から選択される非自然に活性化された反応である、項目４８に記載の方法。
［項目８１］
前記第１変調光子パルス群の１つ以上の第１強度による前記第１光子パルスオン継続時間、前記第１光子パルスオフ継続時間、及び前記第１波長帯は、前記鳥からの所望の反応に合わせて特別に調整される、項目４８に記載の方法。
［項目８２］
前記第２変調光子パルス群デューティサイクルの１つ以上の第２強度による前記第２光子パルスオン継続時間、前記第２光子パルスオフ継続時間、及び前記第２波長帯は、前記鳥からの所望の反応に合わせて特別に調整される、項目４８に記載の方法。
［項目８３］
前記方法は、鳥において所望の反応を誘発するために使用する電力を、従来の育成システムと比べて少なくとも５０％削減する、項目４８に記載の方法。
［項目８４］
前記第１変調光子パルス群の前記１つ以上の第１光子パルスオフ継続時間はそれぞれ、異なる継続時間である、項目４８に記載の方法。
［項目８５］
前記第２変調光子パルス群の前記１つ以上の第２光子パルスオフ継続時間はそれぞれ、異なる継続時間である、項目４８に記載の方法。
［項目８６］
前記第１変調光子パルス群の前記１つ以上の第１光子パルスオン継続時間はそれぞれ、異なる継続時間である、項目４８に記載の方法。
［項目８７］
前記第２変調光子パルス群の前記１つ以上の第２光子パルスオン継続時間はそれぞれ、異なる継続時間である、項目４８に記載の方法。
［項目８８］
前記第３以上の変調光子パルス群の前記１つ以上の追加光子パルスオフ継続時間はそれぞれ異なる、項目４９に記載の方法。
［項目８９］
前記第３以上の変調光子パルス群の前記１つ以上の追加光子パルスオン継続時間はそれぞれ異なる、項目４９に記載の方法。
［項目９０］
前記少なくとも１つの光子放出変調コントローラと通信するマスタ論理コントローラを提供することであって、
前記マスタ論理コントローラは、前記第３以上の変調光子パルス群の前記成分を制御する前記少なくとも１つの光子放出変調コントローラに対し、コマンドを送信する、
前記少なくとも１つの光子放出変調コントローラと通信する前記マスタ論理コントローラを提供すること
をさらに含む、項目４９に記載の方法。
［項目９１］
前記第３以上の変調光子パルス群の前記成分は、前記鳥からの所望の反応に合わせて特別に調整される、項目４９に記載の方法。
［項目９２］
前記第３以上の変調光子パルス群の前記各追加波長色は、近赤、遠赤、青、赤外、黄、橙、緑、及び紫外色から成る群から選択される、項目４９に記載の方法。
［項目９３］
前記第３以上の変調光子パルス群の前記各追加波長色は、０．１ｎｍ〜１ｃｍの波長を有する、項目４９に記載の方法。
［項目９４］
前記第３以上の変調光子パルス群はさらに、１つ以上の追加強度を含む、項目４９に記載の方法。
［項目９５］
前記第１パルスの前記１つ以上のオン継続時間は、前記第１光子パルスの前記１つ以上のオフ継続時間と異なる、項目４８に記載の方法。
［項目９６］
前記第２パルスの前記１つ以上のオン継続時間は、前記第２光子パルスの前記１つ以上のオフ継続時間と異なる、項目４８に記載の方法。
［項目９７］
前記第３以上のパルスの前記１つ以上のオン継続時間は、前記第３以上の光子パルスの前記１つ以上のオフ継続時間と異なる、項目４９に記載の方法。
［項目９８］
前記鳥からの前記所望の反応は、排卵、産卵、空腹感、成長、及び気分から選択される、項目４９に記載の方法。
［項目９９］
前記少なくとも１つの第１光子パルスは、少なくとも５％の光量子の変化を有する、項目４９に記載の方法。
［項目１００］
前記少なくとも１つの追加光子パルスは、少なくとも５％の光量子の変化を有する、項目４９に記載の方法。
［項目１０１］
前記少なくとも１つの第１光子パルスの前記デューティサイクルは、０．０１％〜１０％に及ぶ、項目４９に記載の方法。
［項目１０２］
前記少なくとも１つの追加光子パルスの前記デューティサイクルは、０．１％〜１０％に及ぶ、項目４９に記載の方法。
［項目１０３］
前記少なくとも１つの第１光子パルスの前記デューティサイクルは、１０．０１％〜１５％に及ぶ、項目４９に記載の方法。
［項目１０４］
前記少なくとも１つの追加光子パルスの前記デューティサイクルは、１０．１％〜１５％に及ぶ、項目４９に記載の方法。
［項目１０５］
前記少なくとも１つの第１光子パルスの前記デューティサイクルは、１５．０１％〜２０％に及ぶ、項目４９に記載の方法。
［項目１０６］
前記少なくとも１つの追加光子パルスの前記デューティサイクルは、１５．０１％〜２０％に及ぶ、項目４９に記載の方法。
［項目１０７］
前記少なくとも１つの第１光子パルスの前記デューティサイクルは、２０．０１％〜４８％に及ぶ、項目４９に記載の方法。
［項目１０８］
前記少なくとも１つの追加光子パルスの前記デューティサイクルは、２０．１％〜４８％に及ぶ、項目４９に記載の方法。
［項目１０９］
前記少なくとも１つの第１光子パルスの前記デューティサイクルは、４８．０１％〜４０％に及ぶ、項目４９に記載の方法。
［項目１１０］
前記少なくとも１つの追加光子パルスの前記デューティサイクルは、４８．１％〜４０％に及ぶ、項目４９に記載の方法。
［項目１１１］
前記少なくとも１つの第１光子パルスの前記デューティサイクルは、４０．０１％〜８０％に及ぶ、項目４９に記載の方法。
［項目１１２］
前記少なくとも１つの追加光子パルスの前記デューティサイクルは、４０．１％〜９０％に及ぶ、項目４９に記載の方法。
［項目１１３］
前記反応は、非自然に活性化された反応である、項目４９に記載の方法。
［項目１１４］
前記少なくとも１つの第１光子パルスの前記継続時間、前記強度、前記波長帯、及び前記デューティサイクルは、鳥からの所望の反応に合わせて特別に調整される、項目４９に記載の方法。
［項目１１５］
前記少なくとも１つの追加光子パルスの前記継続時間、前記強度、前記波長帯、及び前記デューティサイクルは、鳥からの所望の反応に合わせて特別に調整される、項目４９に記載の方法。
［項目１１６］
前記方法は、少なくとも５０％の電力を節約する、項目４９に記載の方法。
［項目１１７］
前記第１光子パルスの前記継続時間、前記強度、前記波長帯、及び前記デューティサイクル、ならびに前記少なくとも１つの追加光子パルスの前記継続時間、前記強度、前記波長帯、及び前記デューティサイクルは、１を超える利得効率を誘発する、項目４９に記載の方法。
［項目１１８］
前記鳥における前記所望の反応は、前記鳥の視床下部内のオプシンによりもたらされる反応である、請求項４８に記載の方法。
【図１】
2020120669.tif 000026
【図２】
2020120669.tif 000027
【図３】
2020120669.tif 000028
【図４】
2020120669.tif 000029
【図５】
2020120669.tif 000030
【図６】
2020120669.tif 000031
【図７】
2020120669.tif 000032
【図８ａ】
2020120669.tif 000033
【図８ｂ】
2020120669.tif 000034
【図８ｃ】
2020120669.tif 000035
【図８ｄ】
2020120669.tif 000036
【図９】
2020120669.tif 000037
【図１０】
2020120669.tif 000038
【図１１】
2020120669.tif 000039
【図１２】
2020120669.tif 000040
【図１３】
2020120669.tif 000041
【図１４】
2020120669.tif 000042
【図１５】
2020120669.tif 000043
【図１６】
2020120669.tif 000044
【図１７】
2020120669.tif 000045
【図１８】
2020120669.tif 000046
【図１９】
2020120669.tif 000047
【図２０】
2020120669.tif 000048
【図２１】
2020120669.tif 000049
【図２２】
2020120669.tif 000050
【図２３】
2020120669.tif 000051
【図２４】
2020120669.tif 000052
【図２５】
2020120669.tif 000053
【図２６】
2020120669.tif 000054
【図２７】
2020120669.tif 000055
【図２８】
2020120669.tif 000056
【図２９】
2020120669.tif 000057
【図３０】
2020120669.tif 000058
【図３１】
2020120669.tif 000059
【図３２】
2020120669.tif 000060
【図３３】
2020120669.tif 000061
【図３４】
2020120669.tif 000062
【図３５】
2020120669.tif 000063
【図３６】
2020120669.tif 000064
【図３７】
2020120669.tif 000065
【図３８】
2020120669.tif 000066
【図３９】
2020120669.tif 000067
【図４０】
2020120669.tif 000068
【外国語明細書】
2020120669000001.pdf